(57)【要約】  サブフレーム間でのチャネル推定値の補間精度を高めることができる基地局。この基地局（１００）において、スクランブリング部（１０５）は、所定のパイロット信号系列に対しセル毎に異なる基地局（１００）固有の系列および複数の基地局に共通の系列の双方を含むスクランブリング系列をチップ毎に乗算するスクランブリング処理を行って、ユニキャストサブフレーム用のパイロットおよびマルチキャストサブフレーム用のパイロットの双方を含むパイロット系列を生成し、多重部（１０６）は、パイロット系列とユニキャストデータシンボルとマルチキャストデータシンボルとをサブフレーム単位で時間多重し、Ｓ／Ｐ部（１０７）は、多重部（１０６）から直列に順次入力されるパイロット系列、ユニキャストデータシンボルおよびマルチキャストデータシンボルを１ＯＦＤＭシンボルに含まれるサブキャリア数分ずつ並列に変換してＩＦＦＴ部（１０８）に出力する。
2007043477.tif 000002
【特許請求の範囲】
【請求項１】
複数のセル間または複数のセクタ間で互いに異なるデータを送信するために使用される第１サブフレームと、前記複数のセル間または前記複数のセクタ間で互いに同一のデータを送信するために使用される第２サブフレームとが時間多重される無線通信システムにおいて用いられる無線通信基地局装置であって、
前記第１サブフレーム用のパイロットおよび前記第２サブフレーム用のパイロットの双方を含む第１パイロット系列を生成する生成手段と、
前記第１パイロット系列を前記第２サブフレームに多重する多重手段と、
を具備する無線通信基地局装置。
【請求項２】
前記第１サブフレームはユニキャストデータ用のサブフレームであり、前記第２サブフレームはマルチキャストデータ用のサブフレームである、
請求項１記載の無線通信基地局装置。
【請求項３】
前記生成手段は、前記第１パイロット系列内において前記第１サブフレーム用のパイロットの数が前記第２サブフレーム用のパイロットの数より多い前記第１パイロット系列を生成する、
請求項１記載の無線通信基地局装置。
【請求項４】
前記生成手段は、所定のパイロット信号系列に前記複数のセル毎または前記複数のセクタ毎に異なる第１系列および前記複数のセルまたは前記複数のセクタに共通の第２系列の双方を含むスクランブリング系列を乗算して前記第１パイロット系列を生成する、
請求項１記載の無線通信基地局装置。
【請求項５】
前記スクランブリング系列は、前記第１系列の一部を前記第２系列で置き換えて生成されたものである、
請求項４記載の無線通信基地局装置。
【請求項６】
前記生成手段は、セルを構成する複数のセクタ毎にそれぞれ異なる所定のパイロット信号系列に前記複数のセル毎に異なる第１系列および前記複数のセルに共通の第２系列の双方を含むスクランブリング系列を乗算して前記第１パイロット系列を生成する、
請求項１記載の無線通信基地局装置。
【請求項７】
前記スクランブリング系列は、前記第１系列の一部を前記第２系列で置き換えて生成されたものである、
請求項６記載の無線通信基地局装置。
【請求項８】
前記多重手段は、前記第１パイロット系列を前記第１サブフレームにさらに多重する、
請求項１記載の無線通信基地局装置。
【請求項９】
前記生成手段は、前記第２サブフレーム用の複数のパイロットを含み、それらの周波数軸上における間隔が伝搬路のコヒーレント帯域幅内に収まる前記第１パイロット系列を生成する、
請求項１記載の無線通信基地局装置。
【請求項１０】
前記生成手段は、前記第１サブフレーム用のパイロットのみからなる第２パイロット系列をさらに生成し、
前記多重手段は、前記第１パイロット系列を前記第２サブフレームおよびその直後の前記第１サブフレームに多重するとともに、その他の前記第１サブフレームに前記第２パイロット系列を多重する、
請求項１記載の無線通信基地局装置。
【請求項１１】
前記生成手段は、前記第１パイロット系列内において前記第２サブフレーム用のパイロットの位置が互いに異なる複数の前記第１パイロット系列を生成し、
前記多重手段は、生成された複数の前記第１パイロット系列のそれぞれを前記第１サブフレームおよび前記第２サブフレームのそれぞれに多重する、
請求項１記載の無線通信基地局装置。
【請求項１２】
前記生成手段は、前記第１サブフレーム用のパイロットのみからなる第２パイロット系列をさらに生成し、
前記多重手段は、前記第１サブフレームの先頭に前記第１パイロット系列を多重するとともに、前記先頭以外の位置に前記第２パイロット系列をさらに多重する、
請求項１記載の無線通信基地局装置。
【請求項１３】
前記生成手段は、前記第２サブフレーム用のパイロットのみからなる第３パイロット系列をさらに生成し、
前記多重手段は、前記第２サブフレームの先頭に前記第１パイロット系列を多重するとともに、前記先頭以外の位置に前記第３パイロット系列をさらに多重する、
請求項１記載の無線通信基地局装置。
【請求項１４】
前記第２サブフレーム用のパイロットおよび前記互いに同一のデータの双方に前記複数のセル毎または前記複数のセクタ毎に異なる位相回転を与える位相回転手段、をさらに具備する、
請求項１記載の無線通信基地局装置。
【請求項１５】
複数のセル間または複数のセクタ間で互いに異なるデータを送信するために使用される第１サブフレームと、前記複数のセル間または前記複数のセクタ間で互いに同一のデータを送信するために使用される第２サブフレームとが時間多重される無線通信システムにおいて用いられるパイロット送信方法であって、
前記第１サブフレーム用のパイロットおよび前記第２サブフレーム用のパイロットの双方を含むパイロット系列を前記第２サブフレームにおいて送信する、
パイロット送信方法。
【発明の詳細な説明】
【技術分野】
【０００１】
本発明は、無線通信基地局装置およびパイロット送信方法に関する。
【背景技術】
【０００２】
近年、移動体通信においては、音声以外に画像やデータ等の様々な情報が伝送の対象になっている。これに伴って、高信頼かつ高速な伝送に対する必要性がさらに高まっている。しかし、移動体通信において高速伝送を行う場合、マルチパスによる遅延波の影響が無視できなくなり、周波数選択性フェージングにより伝送特性が劣化する。【０００３】
周波数選択性フェージング対策技術の１つとして、ＯＦＤＭ（Orthogonal Frequency Division Multiplexing）方式に代表されるマルチキャリア通信が注目されている。マルチキャリア通信は、周波数選択性フェージングが発生しない程度に伝送速度が抑えられた複数のサブキャリアを用いてデータを伝送することにより、高速伝送を行う技術である。特に、ＯＦＤＭ方式は、データが配置される複数のサブキャリアの周波数が互いに直交しているため、マルチキャリア通信の中でも最も周波数利用効率が高く、また、比較的簡単なハードウェア構成で実現できる。このため、ＯＦＤＭ方式は、セルラ方式移動体通信に採用される通信方法として注目されており、様々な検討が加えられている。また、ＯＦＤＭ方式では、符号間干渉（ＩＳＩ：IntersymbolInterference）を防止するために、各ＯＦＤＭシンボルの先頭にそのＯＦＤＭシンボルの後端部分をサイクリック・プリフィクス（ＣＰ：Cyclic Prefix）として付加する。これにより、受信側では、遅延波の遅延時間がＣＰの時間長（以下、ＣＰ長という）以内に収まる限りＩＳＩを防止することができる。【０００４】
一方、最近、マルチキャスト通信に関する検討が行われている。マルチキャスト通信は、ユニキャスト通信のような１対１の通信ではなく、１対多の通信となる。すなわち、マルチキャスト通信では、１つの無線通信基地局装置（以下、基地局という）が複数の無線通信移動局装置（以下、移動局という）に同時に同じデータを送信する。このマルチキャスト通信により、移動体通信システムにおいて音楽データやビデオ画像データの配信サービス、テレビ放送等の放送サービス等が実現される。また、マルチキャスト通信を用いて行うサービスとしては１つの基地局ではカバーしきれない比較的広い通信エリアに対するサービスが想定されているため、マルチキャスト通信では複数の基地局から同じデータを送信することでその広い通信エリア全体をカバーする。よって、マルチキャスト通信のデータ（マルチキャストデータ）は、複数の基地局によって共用されるマルチキャストチャネルを用いて伝送される。このようにマルチキャストチャネルでは複数の基地局から同時に同じデータが送信されるため、セル境界付近に位置する移動局では、複数の基地局からのマルチキャストデータが混合された状態で受信される。【０００５】
ここで、マルチキャスト通信にＯＦＤＭ方式を用いると、セル境界付近に位置する移動局では、複数の基地局から同時に送信される複数の同一ＯＦＤＭシンボルがＣＰ長以内の時間差で受信されると、それらのＯＦＤＭシンボルが合成されて受信電力が増幅された状態で受信される。このような合成された信号の伝搬路変動（位相変動および振幅変動）をチャネル推定により補正するためには、合成された信号のチャネル推定値が必要となる。よって、ＯＦＤＭ方式を利用したマルチキャスト通信では、チャネル推定値を求めるために使用されるパイロットについても、マルチキャストデータ同様、複数の基地局から同時に同一のパイロットが送信される必要がある。【０００６】
一方、ユニキャストチャネルでは、複数の基地局が互いに異なるデータ（ユニキャストデータ）を送信する（非特許文献１参照）。このため、移動局において複数の基地局からのユニキャストデータをそれぞれ区別することができるように、ユニキャストデータにはセル毎に異なる各基地局固有のスクランブリングコードが掛けられる。よって、ユニキャスト通信では、チャネル推定値を求めるために使用されるパイロットについても、ユニキャストデータ同様、各基地局固有のスクランブリングコードが掛けられる。【０００７】
また、図１に示すようにユニキャストデータとマルチキャストデータとをサブフレーム単位で時間多重し、ユニキャストチャネルとマルチキャストチャネルとを時間の経過とともに随時切り替えて用いることも検討されている（非特許文献２参照）。この文献によれば、１フレームがサブフレーム＃１〜＃２０の２０サブフレームで構成される例が示されている。また、各サブフレームの先頭には、ユニキャストデータとマルチキャストデータとで互いに異なる上記のようなパイロット（Ｐ）が時間多重される。なお、図１では、一例として３サブフレーム毎にマルチキャストデータが多重されるフレーム構成を挙げた。
【非特許文献１】3GPP RAN WG1 LTE Adhoc meeting (2005.06) R1-050589 “Pilot channel and scrambling code in evolved UTRA downlink”
【非特許文献２】3GPP RAN WG1 LTE Adhoc meeting (2005.06) R1-050590 “Physical channels and multiplexing in evolved UTRA downlink”
【発明の開示】
【発明が解決しようとする課題】
【０００８】
ここで、図１に示すようにサブフレームの先頭にパイロットが時間多重される場合、そのパイロットを用いて求めたチャネル推定値をそのサブフレーム全体のデータに対して使用するため、サブフレームの先頭部分では補正の精度が高いのに対し、後端にいくほど補正の精度が徐々に低くなる。この精度低下を抑えるために、サブフレーム間でチャネル推定値の補間処理を行うことが考えられる。例えば、図１において、サブフレーム＃１のパイロットを用いて算出されたチャネル推定値とサブフレーム＃２のパイロットを用いて算出されたチャネル推定値との間での補間処理によりサブフレーム＃１のユニキャストデータに対するチャネル推定値を求め、サブフレーム＃２のパイロットを用いて算出されたチャネル推定値とサブフレーム＃３のパイロットを用いて算出されたチャネル推定値との間での補間処理によりサブフレーム＃２のユニキャストデータに対するチャネル推定値を求め、サブフレーム＃３のパイロットを用いて算出されたチャネル推定値とサブフレーム＃４のパイロットを用いて算出されたチャネル推定値との間での補間処理によりサブフレーム＃３のマルチキャストデータに対するチャネル推定値を求めるようにする。【０００９】
しかし、ユニキャストデータのサブフレームとマルチキャストデータのサブフレームとでは上記のように互いに異なるパイロットが送信されるため、移動局では、ユニキャストデータのサブフレームでは自局と通信中にある１つの基地局からのパイロットに基づいたチャネル推定値が求められるのに対し、マルチキャストデータのサブフレームでは複数の基地局からのパイロットが合成された信号に基づいたチャネル推定値が求められる。よって、ユニキャストデータのサブフレームで求められるチャネル推定値が１つの伝搬路の状態を表すものであるのに対し、マルチキャストデータのサブフレームで求められるチャネル推定値は複数の伝搬路の状態が混合されたものとなる。よって、これらのチャネル推定値間で上記のような補間処理を行うと補間精度が著しく低下する。このため、補間処理により求めたチャネル推定値を使用した受信信号補正ではその精度が著しく低下し、その結果、誤り率特性が劣化する。より具体的には、図１において、サブフレーム＃２（ユニキャストデータ）のパイロットから求められるチャネル推定値とサブフレーム＃３（マルチキャストデータ）のパイロットから求められるチャネル推定値との間での補間処理では補間精度が低いため、サブフレーム＃２のユニキャストデータの誤り率特性が劣化する。また、同様に、サブフレーム＃３（マルチキャストデータ）のパイロットから求められるチャネル推定値とサブフレーム＃４（ユニキャストデータ）のパイロットから求められるチャネル推定値との間での補間処理では補間精度が低いため、サブフレーム＃３のマルチキャストデータの誤り率特性が劣化する。【００１０】
このように、ユニキャストデータとマルチキャストデータとが時間多重され、両者の間においてチャネル推定値の補間処理が行われる場合に、マルチキャストデータのサブフレームの直前にあるユニキャストデータのサブフレームにおいて誤り率特性が劣化し、ユニキャストデータのサブフレームの直前にあるマルチキャストデータのサブフレームにおいて誤り率特性が劣化する。【００１１】
本発明の目的は、サブフレーム間でのチャネル推定値の補間精度を高めることができる基地局およびパイロット送信方法を提供することである。
【課題を解決するための手段】
【００１２】
本発明の基地局は、複数のセル間または複数のセクタ間で互いに異なるデータを送信するために使用される第１サブフレームと、前記複数のセル間または前記複数のセクタ間で互いに同一のデータを送信するために使用される第２サブフレームとが時間多重される無線通信システムにおいて用いられる基地局であって、前記第１サブフレーム用のパイロットおよび前記第２サブフレーム用のパイロットの双方を含む第１パイロット系列を生成する生成手段と、前記第１パイロット系列を前記第２サブフレームに多重する多重手段と、を具備する構成を採る。
【発明の効果】
【００１３】
本発明によれば、サブフレーム間でのチャネル推定値の補間精度を高めることができる。
【図面の簡単な説明】
【００１４】
【図１】フレーム構成例（従来）
【図２】本発明の実施の形態１に係る基地局のブロック構成図
【図３】本発明の実施の形態１に係る移動局のブロック構成図
【図４】本発明の実施の形態１に係るパイロット系列多重例（セルＡ）
【図５】本発明の実施の形態１に係るパイロット系列多重例（セルＢ）
【図６】本発明の実施の形態１に係る受信パイロット系列
【図７】本発明の実施の形態１に係るチャネル推定値
【図８】本発明の実施の形態１に係る基地局のブロック構成図（バリエーション）
【図９】本発明の実施の形態１に係るスクランブリング系列生成例
【図１０】本発明の実施の形態１に係るパイロット系列多重例（バリエーション１）
【図１１】本発明の実施の形態１に係るパイロット系列多重例（バリエーション２）
【図１２】本発明の実施の形態１に係るパイロット系列多重例（バリエーション３）
【図１３】本発明の実施の形態１に係るパイロット系列多重例（バリエーション４）
【図１４】本発明の実施の形態１に係るパイロット系列多重例（バリエーション５）
【図１５】本発明の実施の形態１に係るパイロット系列多重例（バリエーション６）
【図１６】本発明の実施の形態２に係る基地局のブロック構成図
【図１７】本発明の実施の形態２に係る基地局のブロック構成図（バリエーション）
【図１８】本発明の実施の形態３に係るセルグループ構成図
【図１９】本発明の実施の形態３に係るパイロット系列多重例（セルＭ）
【図２０】本発明の実施の形態３に係るパイロット系列多重例（セルＮ）
【図２１】本発明の実施の形態３に係る基地局のブロック構成図
【図２２】本発明の実施の形態５に係るパイロット系列多重例（アンテナ＃１）
【図２３】本発明の実施の形態５に係るパイロット系列多重例（アンテナ＃２）
【発明を実施するための最良の形態】
【００１５】
以下、本発明の実施の形態について、添付図面を参照して詳細に説明する。【００１６】
（実施の形態１）
本実施の形態に係る基地局は、複数の基地局が互いに異なるデータを送信するために使用されるサブフレームと、複数の基地局が互いに同一のデータを送信するために使用されるサブフレームとが時間多重される無線通信システムにおいて用いられるものである。特に、本実施の形態に係る基地局は、上記図１のようにユニキャストデータ用のサブフレーム（以下、ユニキャストサブフレームという）とマルチキャストデータ用のサブフレーム（以下、マルチキャストサブフレーム）とが時間多重される無線通信システムに好適である。よって、以下の説明では、複数の基地局が互いに異なるデータを送信するために使用されるサブフレームとしてユニキャストサブフレームを、複数の基地局が互いに同一のデータを送信するために使用されるサブフレームとしてマルチキャストサブフレームを一例に挙げて説明する。なお、本実施の形態でのフレーム構成は図１と同一であるものとする。【００１７】
図２に本実施の形態に係る基地局１００の構成を示し、図３に本実施の形態に係る移動局２００の構成を示す。【００１８】
図２に示す基地局１００において、符号化部１０１は、ユニキャストデータを符号化して変調部１０２に出力する。【００１９】
変調部１０２は、符号化後のユニキャストデータを変調してユニキャストデータシンボルを生成し、多重部１０６に出力する。【００２０】
符号化部１０３は、マルチキャストデータを符号化して変調部１０４に出力する。【００２１】
変調部１０４は、符号化後のマルチキャストデータを変調してマルチキャストデータシンボルを生成し、多重部１０６に出力する。【００２２】
スクランブリング部１０５は、複数のセル毎に異なる基地局１００固有の系列（固有系列）および複数の基地局に共通の系列（共通系列）の双方を含むスクランブリング系列を所定のパイロット信号系列にチップ毎に乗算するスクランブリング処理を行って、ユニキャストサブフレーム用のパイロットおよびマルチキャストサブフレーム用のパイロットの双方を含むパイロット系列を生成し、多重部１０６に出力する。【００２３】
多重部１０６は、図１に示すフレーム構成に従って、パイロット系列とユニキャストデータシンボルとマルチキャストデータシンボルとを時間多重してＳ／Ｐ部１０７に出力する。この時間多重は図１に示すようにサブフレーム単位で行われる。また、各サブフレームの先頭にパイロット系列が時間多重される。【００２４】
Ｓ／Ｐ部１０７は、多重部１０６から直列に順次入力されるパイロット系列、ユニキャストデータシンボルおよびマルチキャストデータシンボルを１ＯＦＤＭシンボルに含まれるサブキャリア数分ずつ並列に変換してＩＦＦＴ（Inverse Fast Fourier Transform）部１０８に出力する。これにより、パイロット系列、ユニキャストデータシンボルまたはマルチキャストデータシンボルがＯＦＤＭシンボルを構成する各サブキャリアに割り当てられる。【００２５】
ＩＦＦＴ部１０８は、パイロット系列、ユニキャストデータシンボルまたはマルチキャストデータシンボルが割り当てられた複数のサブキャリアに対してＩＦＦＴを行って時間領域の信号に変換し、マルチキャリア信号であるＯＦＤＭシンボルを生成する。このＯＦＤＭシンボルは、ＣＰ付加部１０９に入力される。【００２６】
ＣＰ付加部１０９は、ＯＦＤＭシンボルの後尾部分と同じ信号をＣＰとしてＯＦＤＭシンボルの先頭に付加する。【００２７】
無線送信部１１０は、ＣＰ付加後のＯＦＤＭシンボルに対しＤ／Ａ変換、増幅およびアップコンバート等の送信処理を行ってアンテナ１１１から移動局２００（図３）へ送信する。【００２８】
図３に示す移動局２００において、無線受信部２０２は、基地局１００（図２）から送信されたＯＦＤＭシンボルをアンテナ２０１を介して受信し、受信されたＯＦＤＭシンボルに対してダウンコンバート、Ａ／Ｄ変換等の受信処理を行ってＣＰ除去部２０３に出力する。【００２９】
ＣＰ除去部２０３は、ＯＦＤＭシンボルに付加されたＣＰを除去してＦＦＴ（Fast Fourier Transform）部２０４に出力する。【００３０】
ＦＦＴ部２０４は、ＣＰ除去部２０３より入力されるＯＦＤＭシンボルをＦＦＴして周波数領域の信号に変換し、パイロット系列、ユニキャストデータシンボルまたはマルチキャストデータシンボルを得てＰ／Ｓ部２０５にサブキャリア数分並列に出力する。【００３１】
Ｐ／Ｓ部２０５は、ＦＦＴ部２０４から並列に入力されるパイロット系列、ユニキャストデータシンボルまたはマルチキャストデータシンボルを直列に変換して分別部２０６に出力する。【００３２】
分別部２０６は、パイロット系列とデータシンボルとを分別して、パイロット系列をパイロット選択部２０７に出力し、ユニキャストデータシンボルおよびマルチキャストデータシンボルを補正部２０９に出力する。【００３３】
パイロット選択部２０７は、チャネル推定がなされるデータの種類に応じたパイロット信号をパイロット系列から選択する。パイロット選択部２０７は、分別部２０６から補正部２０９にユニキャストデータシンボルが出力される場合、すなわち、ユニキャストサブフレームでは、ユニキャストサブフレーム用のパイロットを選択してチャネル推定部２０８に出力し、分別部２０６から補正部２０９にマルチキャストデータシンボルが出力される場合、すなわち、マルチキャストサブフレームでは、マルチキャストサブフレーム用のパイロットを選択してチャネル推定部２０８に出力する。また、移動局２００ではサブフレーム間におけるチャネル推定値の補間処理が行われるため、パイロット選択部２０７は、現サブフレームと次サブフレームのパイロットを選択する。例えば、パイロット選択部２０７は、図１に示すサブフレーム＃２のユニキャストデータに対するチャネル推定が行われる場合は、サブフレーム＃２およびサブフレーム＃３の先頭にあるパイロット系列の中からユニキャストサブフレーム用のパイロットを選択する。また、例えば、パイロット選択部２０７は、図１に示すサブフレーム＃３のマルチキャストデータに対するチャネル推定が行われる場合は、サブフレーム＃３およびサブフレーム＃４の先頭にあるパイロット系列の中からマルチキャストサブフレーム用のパイロットを選択する。【００３４】
チャネル推定部２０８は、パイロット選択部２０７で選択されたパイロットを用いてチャネル推定値を算出する。また、チャネル推定部２０８は、算出したチャネル推定値を用いて、サブキャリア間での補間処理およびサブフレーム間での補間処理を行って、サブフレームに含まれるすべてのデータシンボルに対するチャネル推定値を算出する。【００３５】
補正部２０９は、チャネル推定部２０８で算出されたチャネル推定値を用いて、ユニキャストデータシンボルおよびマルチキャストデータシンボルの伝搬路変動を補正して復調部２１０に出力する。補正部２０９は、各データシンボルにチャネル推定値の複素共役を乗算することにより各データシンボルの伝搬路変動を補正する。【００３６】
復調部２１０は、補正部２０９から入力される各データシンボルを復調して復号部２１１に出力する。【００３７】
復号部２１１は、復調後の各データシンボルを復号する。これにより、受信データが得られる。【００３８】
次いで、基地局１００のスクランブリング部１０５でのスクランブリング処理に使用されるスクランブリング系列の生成方法について説明する。このスクランブリング系列は、以下のようにして、固有系列であるスクランブリングコードの一部を共通系列で置き換えることにより生成される。【００３９】
すなわち、基地局１００固有のスクランブリングコードをチップａ１,ａ２,ａ３,…,ａＮ（但し、Ｎは１ＯＦＤＭシンボルに含まれるサブキャリアの数）、共通系列をチップｓ１,ｓ２,ｓ３,…,ｓＭ（但し、Ｍ＜Ｎ／２）、パイロット信号系列をｐ１,ｐ２,ｐ３,…，ｐＮとした場合、例えば、スクランブリングコードの２チップ目を始点とし３チップ毎の位置にある各チップを共通系列で置き換えることによりスクランブリング系列を生成する。よって、ここで生成されるスクランブリング系列はａ１,ｓ１,ａ３,ａ４,ｓ２,ａ６,…,ｓＭ,…,ａＮとなり、このスクランブリング系列には、固有系列および共通系列の双方が含まれることになる。そして、スクランブリング部１０５では、パイロット信号系列ｐ１,ｐ２,ｐ３,…，ｐＮに対して、このスクランブリング系列ａ１,ｓ１,ａ３,ａ４,ｓ２,ａ６,…,ｓＭ,…,ａＮを乗算する。よって、この乗算より生成されるパイロット系列は、ａ１・ｐ１,ｓ１・ｐ２,ａ３・ｐ３,ａ４・ｐ４,ｓ２・ｐ５,ａ６・ｐ６,…,ｓＭ・ｐ３Ｍ−１,…,ａＮ・ｐＮとなる。ここで説明を簡単にするためにパイロット信号系列としてｐ１＝ｐ２＝ｐ３＝…＝ｐＮ＝１である系列を用いると、上記のようにして生成されたスクランブリング系列（ａ１,ｓ１,ａ３,ａ４,ｓ２,ａ６,…,ｓＭ,…,ａＮ）そのものがパイロット系列となる。そして、このパイロット系列ａ１,ｓ１,ａ３,ａ４,ｓ２,ａ６,…,ｓＭ,…,ａＮが、多重部１０６により、図４に示すように各サブフレームの先頭に多重される。図４では、説明を簡単にするために、Ｎ＝６とし、１ＯＦＤＭシンボルがサブキャリアｆ１〜ｆ６の６つのサブキャリアからなる場合を示している。よって、図４において、ａ１,ａ３,ａ４,ａ６は基地局１００に固有のパイロットとなるためユニキャストサブフレーム用のパイロットとして使用でき、一方、ｓ１,ｓ２は複数の基地局に共通のパイロットとなるためマルチキャストサブフレーム用のパイロットとして使用できる。このように、スクランブリング部１０５で生成されるパイロット系列には、ユニキャストサブフレーム用のパイロットおよびマルチキャストサブフレーム用のパイロットの双方が含まれる。【００４０】
さらに、移動局２００でのチャネル推定の際に周波数軸方向での伝搬路変動に十分追従できるようにするため、上記のようにパイロット系列にマルチキャストサブフレーム用のパイロットｓｉが複数含まれる場合、それらのパイロットの周波数軸上における間隔は伝搬路のコヒーレント帯域幅以内に設定される。よって、スクランブリング部１０５は、マルチキャストサブフレーム用のパイロットｓ１,ｓ２の間の周波数軸上における間隔が伝搬路のコヒーレント帯域幅内に収まるパイロット系列を生成することになる。【００４１】
また、マルチキャストサブフレーム用のパイロットは複数の基地局で同一であるため、基地局間での干渉が発生しない。よって、パイロット系列中におけるマルチキャストサブフレーム用のパイロットの数は伝搬路変動に追従可能な最低限の数でよい。一方、ユニキャストサブフレーム用のパイロットは基地局毎に異なるため、基地局間での干渉が発生する。この干渉を平均化処理等により低減するためには多くのパイロットが必要となる。そこで、本実施の形態では、上記のように、パイロット系列内においてユニキャストサブフレーム用のパイロットの数がマルチキャストサブフレーム用のパイロットの数より多くなるように設定される。ここでは、マルチキャストサブフレーム用のパイロットがｓ１,ｓ２の２つであるのに対し、ユニキャストサブフレーム用のパイロットがａ１,ａ３,ａ４,ａ６の４つであるパイロット系列がスクランブリング部１０５により生成される。【００４２】
次いで、移動局２００のチャネル推定部２０８で行われるチャネル推定値の算出について説明する。ここでは、セルＡの基地局１００がパイロット系列ａ１,ｓ１,ａ３,ａ４,ｓ２,ａ６を図４に示すように各サブフレームの先頭において送信し、同一の構成を採るセルＢの基地局１００が上記同様にして生成されたパイロット系列ｂ１,ｓ１,ｂ３,ｂ４,ｓ２,ｂ６を図５に示すように各サブフレームの先頭において送信するものとする。また、移動局２００はセルＡに位置するものとする。【００４３】
移動局２００では、図６に示すように、パイロット系列ａ１,ｓ１,ａ３,ａ４,ｓ２,ａ６とパイロット系列ｂ１,ｓ１,ｂ３,ｂ４,ｓ２,ｂ６とが伝搬路上で合成されて受信される。よって、移動局２００において受信されるパイロット系列は、ａ１ｈ１＋ｂ１ｌ１,ｓ１（ｈ２＋ｌ２）,ａ３ｈ３＋ｂ３ｌ３,ａ４ｈ４＋ｂ４ｌ４,ｓ２（ｈ５＋ｌ５）,ａ６ｈ６＋ｂ６ｌ６となる。ここで、ｈｉはセルＡでの伝搬路を表し、ｌｉはセルＢでの伝搬路を表す。つまり、移動局２００において受信されるパイロット系列は、マルチキャストサブフレーム用のパイロット部分ではｓｉ（ｈｉ＋ｌｉ）となり、ユニキャストサブフレーム用のパイロット部分ではａｉｈｉ＋ｂｉｌｉとなる。【００４４】
そして、チャネル推定部２０８は図７に示すようにしてチャネル推定値を算出する。【００４５】
すなわち、マルチキャストデータ（サブフレーム＃３のデータ）に対するチャネル推定が行われる場合は、上記のように、パイロット選択部２０７によって、サブフレーム＃３の先頭にある受信パイロット系列の中からサブキャリアｆ２,ｆ５の受信パイロットｓ１（ｈ２＋ｌ２）,ｓ２（ｈ５＋ｌ５）が選択される。チャネル推定部２０８は、パイロットｓ１（ｈ２＋ｌ２）にｓ１の複素共役を乗算してチャネル推定値ｇ２＝ｈ２＋ｌ２を求めるとともに、パイロットｓ２（ｈ５＋ｌ５）にｓ２の複素共役を乗算してチャネル推定値ｇ５＝ｈ５＋ｌ５を求める。サブフレーム＃４においても同様の処理がなされｇ２およびｇ５が得られる。そして、チャネル推定部２０８は、図７に示すように、サブフレーム＃３およびサブフレーム＃４の先頭において、ｇ２およびｇ５を用いたサブキャリア間での補間処理を行ってサブフレーム＃３およびサブフレーム＃４の先頭における残りのチャネル推定値ｇ１,ｇ３,ｇ４,ｇ６を求める。また、チャネル推定部２０８は、図７に示すように、サブフレーム＃３の先頭とサブフレーム＃４の先頭との間でチャネル推定値ｇ１〜ｇ６各々についての補間処理を行って、サブフレーム＃３に含まれるすべてのマルチキャストデータシンボルに対するチャネル推定値を算出する。【００４６】
一方、ユニキャストデータ（サブフレーム＃２のデータ）に対するチャネル推定が行われる場合は、上記のように、パイロット選択部２０７によって、サブフレーム＃２の先頭にある受信パイロット系列の中からサブキャリアｆ１,ｆ３,ｆ４,ｆ６の受信パイロットａ１ｈ１＋ｂ１ｌ１,ａ３ｈ３＋ｂ３ｌ３,ａ４ｈ４＋ｂ４ｌ４,ａ６ｈ６＋ｂ６ｌ６が選択される。チャネル推定部２０８は、式（１）に示すように、パイロットａ１ｈ１＋ｂ１ｌ１にａ１の複素共役を乗算するとともにパイロットａ３ｈ３＋ｂ３ｌ３にａ３の複素共役を乗算し、これらの乗算結果を加算する。なお、近接するサブキャリア間ではほぼ同じ伝搬路とみなせるため、式（１）においてはｈ１＋ｈ３を２ｈ１とした。
【数１】
2007043477.tif 000003
【００４７】
ここで、ａ１,ａ３,ｂ１,ｂ３が互いにランダムであればそれらが互いに強め合うことはないため、式（１）の算出結果における第２項の値は２ｈ１に比べ十分小さい値となって無視することができる。よって、式（１）の算出結果は２ｈ１となり、チャネル推定値ｈ１が求められる。このようにチャネル推定部２０８は、ユニキャストデータに対するチャネル推定値を求める際には、干渉成分ｌｉを抑圧するために、近接サブキャリア間においてチャネル推定値の平均化を行う。【００４８】
チャネル推定部２０８は、パイロットａ３ｈ３＋ｂ３ｌ３,ａ４ｈ４＋ｂ４ｌ４,ａ６ｈ６＋ｂ６ｌ６それぞれの間でも上記同様の演算を行って、チャネル推定値ｈ３,ｈ４,ｈ６を求める。また、サブフレーム＃３においても同様の処理がなされｈ１,ｈ３,ｈ４,ｈ６が得られる。そして、チャネル推定部２０８は、図７に示すように、サブフレーム＃２およびサブフレーム＃３の先頭においてｈ１,ｈ３およびｈ４,ｈ６を用いたサブキャリア間での補間処理を行ってサブフレーム＃２およびサブフレーム＃３の先頭における残りのチャネル推定値ｈ２,ｈ５を求める。また、チャネル推定部２０８は、図７に示すように、サブフレーム＃２の先頭とサブフレーム＃３の先頭との間でチャネル推定値ｈ１〜ｈ６各々についての補間処理を行って、サブフレーム＃２に含まれるすべてのユニキャストデータシンボルに対するチャネル推定値を算出する。【００４９】
なお、上記説明では、ユニキャストデータシンボルに対するチャネル推定値の算出において、受信パイロットｓ１（ｈ２＋ｌ２）およびｓ２（ｈ５＋ｌ５）を用いていないが、移動局２００がセルＡの中心付近に位置しｈｉの値がｌｉの値に比べて十分大きくなる場合には、これらの受信パイロットも用いてユニキャストデータシンボルに対するチャネル推定値を求めることによりチャネル推定精度が向上する。【００５０】
このように、本実施の形態によれば、基地局１００はユニキャストサブフレーム用のパイロットおよびマルチキャストサブフレーム用のパイロットの双方を含むパイロット系列を各サブフレームにおいて送信するため、移動局２００では、上記のように、１つの伝搬路の状態を表すチャネル推定値同士で補間処理を行うことができるとともに、複数の伝搬路の状態が混合されたチャネル推定値同士で補間処理を行うことができるので、ユニキャストチャネルとマルチキャストチャネルとがサブフレーム単位で時間多重され、両者の間においてチャネル推定値の補間処理が行われる場合でも補間精度を高めることができる。よって、本実施の形態によれば、チャネル推定値の補間精度が低いことによる誤り率特性の劣化を防ぐことができる。【００５１】
また、本実施の形態によれば、従来のスクランブリングコードの一部を共通系列で置き換えて生成した系列を従来のパイロット信号系列に乗算するという簡易な処理だけで、ユニキャストサブフレーム用のパイロットおよびマルチキャストサブフレーム用のパイロットの双方を含むパイロット系列を生成することができる。【００５２】
また、本実施の形態によれば、単一のパイロット構成によりユニキャストデータおよびマルチキャストデータ双方に対するチャネル推定を行うことができるため、簡易な通信システムを実現することができる。【００５３】
なお、上記説明ではパイロット系列が各サブフレームの先頭（１ＯＦＤＭシンボル目）に多重される場合を一例として説明したが、例えば各サブフレームの先頭に制御情報等が多重される場合は、パイロット系列を各サブフレームの２ＯＦＤＭシンボル目以降に多重してもよい。【００５４】
また、上記説明ではパイロット信号系列に対してのみスクランブリング系列を乗算していたが、ユニキャストデータシンボルおよびマルチキャストデータシンボルに対してもスクランブリング系列を乗算してもよい。または、ユニキャストデータシンボルおよびマルチキャストデータシンボルには基地局１００固有のスクランブリングコードを乗算してもよい。【００５５】
また、上記説明ではスクランブリングコードの一部を共通系列で置き換えることによりスクランブリング系列を生成したが、スクランブリングコードのチップ間に共通系列のチップの各々を挿入することによりスクランブリング系列を生成してもよい。【００５６】
また、マルチキャストサブフレーム用のパイロットの送信電力をユニキャストサブフレーム用のパイロットの送信電力よりも小さく設定してもよい。基地局１００の総送信電力には上限があるため、基地局間相互での干渉が発生しないマルチキャストサブフレーム用のパイロットの送信電力を小さくし、その分、基地局間相互での干渉が発生するユニキャストサブフレーム用のパイロットの送信電力を大きくすることで、干渉によるユニキャストデータの誤り率特性劣化を抑えることができる。【００５７】
また、上記説明では予め生成されたスクランブリング系列が基地局１００に予め設定されておりスクランブリング系列は変化しないものとして説明したが、基地局１００の上位にある無線回線制御局装置（以下、制御局という）により固有系列（スクランブリングコード）が変えられることがある無線通信システムでは、基地局の構成を図８に示すものにするとよい。図８に示す基地局３００は、図２に示す構成にさらに置き換え部３０１を追加したものである。基地局３００は固有系列および共通系列を制御局から通知され、置き換え部３０１は、上記同様にしてその固有系列の一部をその共通系列で置き換えることによりスクランブリング系列を生成する。なお、この構成では置き換え部３０１にて生成されたスクランブリング系列がパイロット信号系列に乗算されるが、スクランブリングコードをそのままパイロット信号系列に乗算してパイロット系列を生成し、その後、そのパイロット系列の一部を置き換え部３０１により共通系列で置き換えるようにしてもよい。【００５８】
また、１つのセルが複数のセクタに分割されている場合は、セクタ毎にそれぞれ異なる所定のパイロット信号系列が設定されることがある。また、セクタ間相互での干渉を低減するために、所定のパイロット信号系列として例えばＯＶＳＦ系列等の直交系列を用いる場合がある。この場合、各セクタに用いる直交系列は全セルで共通である。そこで、この場合は、それらのパイロット信号系列（直交系列）に対してセル毎に異なる基地局固有のスクランブリングコードが掛けられる。このような無線通信システムにおいては、図９に示すように、スクランブリングコード（固有系列）のチップのうち、各セクタのパイロット信号系列のチップの中ですべてのセクタにおいて位相（１,−１）が同一となるチップに対応する箇所を、全セル共通の共通系列で置き換えることによりスクランブリング系列を生成するとよい。これにより、セルを構成する複数のセクタ毎にそれぞれ異なるパイロット信号系列が設定されている場合でも、上記同様、固有系列および共通系列の双方を含むスクランブリング系列を生成することができ、ユニキャストサブフレーム用のパイロットおよびマルチキャストサブフレーム用のパイロットの双方を含むパイロット系列を生成することができる。【００５９】
また、上記説明では図４に示すようにユニキャストサブフレーム用のパイロットおよびマルチキャストサブフレーム用のパイロットの双方を含むパイロット系列を全サブフレームの先頭に多重したが、マルチキャストサブフレームでは基地局間相互での干渉が発生せず、また、マルチキャストデータはＱＰＳＫ等、変調多値数が小さい変調方式で変調されることが多いため、マルチキャストデータシンボルは伝搬路変動の影響を受けにくい。そこで、図１０に示すように、ユニキャストサブフレーム用のパイロットおよびマルチキャストサブフレーム用のパイロットの双方を含むパイロット系列をマルチキャストサブフレームの先頭にのみ多重し、ユニキャストサブフレームの先頭にはユニキャストサブフレーム用のパイロットのみからなるパイロット系列を多重するようにしてもよい。または、図１１に示すように、ユニキャストサブフレーム用のパイロットおよびマルチキャストサブフレーム用のパイロットの双方を含むパイロット系列をマルチキャストサブフレームの先頭およびそのマルチキャストサブフレームの直後のユニキャストサブフレームの先頭にのみ多重し、その他のユニキャストサブフレームの先頭にはユニキャストサブフレーム用のパイロットのみからなるパイロット系列を多重するようにしてもよい。または、図１２に示すように、ユニキャストサブフレーム用のパイロットおよびマルチキャストサブフレーム用のパイロットの双方を含むパイロット系列をマルチキャストサブフレームの先頭にのみ多重するとともに、マルチキャストサブフレームの後端にはマルチキャストサブフレーム用のパイロットのみからなるパイロット系列を多重し、ユニキャストサブフレームの先頭にはユニキャストサブフレーム用のパイロットのみからなるパイロット系列を多重するようにしてもよい。このようにすることで、周波数軸上におけるユニキャストサブフレーム用のパイロットの数を増やすことができるため、ユニキャストデータシンボルに対するチャネル推定の精度を向上させることができる。なお、このようにする場合は、図８に示す置き換え部３０１は、上記処理に加え、固有系列または共通系列をそのままスクランブリング系列としてスクランブリング部１０５に出力し、スクランブリング部１０５は、そのスクランブリング系列をパイロット信号系列に乗算してユニキャストサブフレーム用のパイロットのみからなるパイロット系列またはマルチキャストサブフレーム用のパイロットのみからなるパイロット系列を生成する。【００６０】
また、上記説明では図４に示すようにマルチキャストサブフレーム用のパイロットの周波数軸上における位置を全サブフレームで同一（図４ではサブキャリアｆ２,ｆ５）としたが、図１３に示すように、その位置をサブフレーム毎に変化させてもよい。つまり、マルチキャストサブフレーム用のパイロットの位置が互いに異なる複数のパイロット系列のそれぞれをユニキャストサブフレームおよびマルチキャストサブフレームのそれぞれの先頭に多重するようにしてもよい。このようにすることで、マルチキャストサブフレーム用のパイロットがないサブキャリア、すなわちチャネル推定精度が劣るサブキャリアが複数のサブフレームに渡って連続することがなくなるため、全サブキャリアでチャネル推定精度が均一化され、誤り率特性を向上させることができる。なお、このようにする場合は、図８に示す置き換え部３０１は、上記処理に加え、固有系列の一部を共通系列で置き換える際に、固有系列のうち共通系列で置き換えるチップの位置をサブフレーム毎に変化させる。これにより、スクランブリング部１０５は、マルチキャストサブフレーム用のパイロットの位置が互いに異なる複数のパイロット系列を生成することができる。【００６１】
また、チャネル推定値の時間軸方向での補間精度をより高めるために、図１４に示すように、各サブフレームの先頭に加え、先頭以外の位置にもパイロット系列を多重するようにしてもよい。このようにする場合、ユニキャストサブフレーム内においてはユニキャストデータシンボルに対するチャネル推定値のみが必要であり、また、マルチキャストサブフレーム内においてはマルチキャストデータシンボルに対するチャネル推定値のみが必要であることから、図１４に示すように、各サブフレームの先頭にはユニキャストサブフレーム用のパイロットおよびマルチキャストサブフレーム用のパイロットの双方を含むパイロット系列を多重するのに対し、ユニキャストサブフレームでは先頭以外の位置に多重するパイロット系列をユニキャストサブフレーム用のパイロットのみからなるパイロット系列とし、マルチキャストサブフレームでは先頭以外の位置に多重するパイロット系列をマルチキャストサブフレーム用のパイロットのみからなるパイロット系列とする。【００６２】
また、１ＯＦＤＭシンボルに含まれるすべてのサブキャリアにパイロットをマッピングするのではなく、図１４に示すように、間欠的にマッピングしてもよい。図１４に示す例では、２サブキャリア毎にパイロットをマッピングしている。このようにする場合、各サブフレームの先頭においてパイロットがマッピングされないサブキャリアにはデータシンボルをマッピングする。【００６３】
また、図１４に代えて図１５に示すようパイロット系列を多重してもよい。図１５に示す例では、各サブフレームの先頭にはユニキャストサブフレーム用のパイロットのみからなるパイロット系列を多重するのに対し、各サブフレームの先頭以外の位置に多重するパイロット系列をユニキャストサブフレーム用のパイロットおよびマルチキャストサブフレーム用のパイロットの双方を含むパイロット系列とする点が図１４に示す例と異なる。【００６４】
（実施の形態２）
実施の形態１において、マルチキャストデータに対するチャネル推定が行われる場合に算出されるチャネル推定値ｇｉは、上記のようにセルＡでのチャネル推定値ｈｉとセルＢでのチャネル推定値ｌｉとが混合されたチャネル推定値であるため、このチャネル推定値をユニキャストデータに対するチャネル推定に用いることはできない。【００６５】
そこで、本実施の形態では、スクランブリング系列に含まれる固有系列および共通系列のうち、共通系列に対しセル毎に異なる各基地局に固有の位相回転を与える。【００６６】
図１６に本実施の形態に係る基地局５００の構成を示す。基地局５００は、実施の形態１（図２）に示した構成にさらに位相回転部５０１，５０２を備えて構成される。なお、図１６において図２と同一の構成部分には同一符号を付して説明を省略する。【００６７】
図１６に示す基地局５００において、位相回転部５０１は、スクランブリング系列に含まれる固有系列および共通系列のうち、共通系列に対しセル毎、すなわち基地局毎に異なる基地局５００固有の位相回転を与える。共通系列をチップｓ１,ｓ２,ｓ３,…,ｓＭとし、基地局５００固有の位相回転量をθとすると、位相回転後の共通系列はｓ１・exp(jθ),ｓ２・exp(jθ),ｓ３・exp(jθ),…,ｓＭ・exp(jθ)となる。そして、位相回転を施された共通系列を含むスクランブリング系列がスクランブリング部１０５に入力される。【００６８】
このように、共通系列に対しセル毎に異なる基地局５００固有の位相回転を与えることにより、セルＡにおけるマルチキャストサブフレーム用のパイロットとセルＢにおけるマルチキャストサブフレーム用のパイロットとを区別することができるようになる。よって、移動局では、マルチキャストサブフレーム用の受信パイロットからセルＡでのチャネル推定値ｈｉとセルＢでのチャネル推定値ｌｉとをそれぞれ算出することができ、これらのチャネル推定値ｈｉ,ｌｉのいずれかをさらに用いてユニキャストデータに対するチャネル推定を行うことができるようになる。これにより、ユニキャストデータのチャネル推定精度を高めることができる。【００６９】
ここで、共通系列に対し位相回転を与えたことにより、移動局では、マルチキャストサブフレーム用のパイロットから算出されるチャネル推定値をそのままマルチキャストデータのチャネル推定に用いることができなくなる。そこで、位相回転部５０２は、共通系列に対する位相回転量と同一の位相回転量でマルチキャストデータシンボルに対して位相回転を与える。このようにしてマルチキャストデータシンボルに対しても共通系列と同一の位相回転を与えることにより、マルチキャストサブフレーム用のパイロットの位相とマルチキャリアデータシンボルの位相との関係が一致するため、移動局では、マルチキャストサブフレーム用のパイロットから算出されるチャネル推定値を用いてマルチキャストデータのチャネル推定を行うことができるようになる。【００７０】
よって、本実施の形態では、図４に示すサブフレーム＃３のｓ１,ｓ２およびマルチキャストデータはexp(jθa)を乗算されたものになり、図５に示すサブフレーム＃３のｓ１,ｓ２およびマルチキャストデータはexp(jθb)を乗算されたものになる。【００７１】
なお、各基地局に固有の位相回転量は予め各基地局に設定されているか、または、各基地局の上位にある制御局から通知される。【００７２】
また、本実施の形態に係る移動局では、パイロット選択部２０７の動作だけが実施の形態１と相違する。すなわち、本実施の形態では、パイロット選択部２０７は、ユニキャストデータに対するチャネル推定が行われる場合は、受信パイロット系列に含まれるすべてのパイロットを選択してチャネル推定部２０８に出力する。【００７３】
また、上記説明では予め生成されたスクランブリング系列が基地局５００に予め設定されておりスクランブリング系列は変化しないものとして説明したが、基地局５００の上位にある制御局により固有系列（スクランブリングコード）が変えられることがある無線通信システムでは、基地局の構成を図１７に示すものにするとよい。図１７に示す基地局７００は、図１６に示す構成にさらに置き換え部３０１を追加したものである。この置き換え部３０１は実施の形態１（図８）におけるものと同一であるため、説明を省略する。【００７４】
また、上記説明では基地局５００に固有の位相回転量が１つである場合、すなわち、セルＡの基地局５００に固有の位相回転量がθa、セルＢの基地局５００に固有の位相回転量がθbである場合について説明したが、１つの基地局が複数の位相回転量を使用してもよい。例えば、セルＡの基地局５００が位相回転量θa1,θa2を使用し、セルＢの基地局５００が位相回転量θb1,θb2を使用してもよい。この場合、例えば、図４において、サブフレーム＃３のｓ１およびサブキャリアｆ１〜ｆ３のマルチキャストデータにexp(jθa1)を乗算するとともに、サブフレーム＃３のｓ２およびサブキャリアｆ４〜ｆ６のマルチキャストデータにexp(jθa2)を乗算し、図５において、サブフレーム＃３のｓ１およびサブキャリアｆ１〜ｆ３のマルチキャストデータにexp(jθb1)を乗算するとともに、サブフレーム＃３のｓ２およびサブキャリアｆ４〜ｆ６のマルチキャストデータにexp(jθb2)を乗算するとよい。これにより、各セルにおいてマルチキャストサブフレーム用のパイロット間での干渉をランダム化することができる。【００７５】
（実施の形態３）
本実施の形態では、互いに複数のセルからなる複数のセルグループ毎に、互いに異なるマルチキャストデータが送信される場合について説明する。本実施の形態では、例えば図１８に示すように、セルＡ〜Ｇでセルグループ１が構成され、セルＨ〜Ｎでセルグループ２が構成される場合において、セルグループ１のセルＡ〜Ｇではマルチキャストデータ１が送信されるのに対し、セルグループ２のセルＨ〜Ｎでは、マルチキャストデータ１と異なるマルチキャストデータ２が送信される場合を想定する。【００７６】
この場合、マルチキャストサブフレーム用のパイロットがすべてのセルにおいて同じ位置に配置されると、セルグループ境界にあるセル（図１８では、セルＡ,Ｂ,Ｍ,Ｎ）においては、マルチキャストデータのチャネル推定精度が劣化すると予想される。例えば、セルグループ１のセルＡ,Ｂにおいてマルチキャストデータ１のチャネル推定精度が劣化し、セルグループ２のセルＭ,Ｎにおいてマルチキャストデータ２のチャネル推定精度が劣化するものと予想される。これは、隣接するセルグループ内のすべてのセルにおいて同じ位置にマルチキャストサブフレーム用のパイロットが配置されると、セルグループ境界にあるセルではマルチキャストサブフレーム用のパイロットについて隣接グループ間での干渉が大きくなってしまうためである。例えば、セルＡ,Ｂにおけるマルチキャストサブフレーム用パイロットはセルグループ２のマルチキャストサブフレーム用パイロットから大きな干渉を受け、同様に、セルＭ,Ｎにおけるマルチキャストサブフレーム用パイロットはセルグループ１のマルチキャストサブフレーム用パイロットから大きな干渉を受けることになる。【００７７】
そこで、本実施の形態では、セルＡでは図４に示すようにパイロット系列ａ１,ｓ１,ａ３,ａ４,ｓ２,ａ６が多重され、セルＢでは図５に示すようにパイロット系列ｂ１,ｓ１,ｂ３,ｂ４,ｓ２,ｂ６が多重される場合に、セルＭでは図１９に示すようにパイロット系列ｍ１,ｍ２,ｓ１,ｍ４,ｍ５,ｓ２を多重し、セルＮでは図２０に示すようにパイロット系列ｎ１,ｎ２,ｓ１,ｎ４,ｎ５,ｓ２を多重する。つまり、本実施の形態では、互いに隣接するセルグループ間においてマルチキャストサブフレーム用のパイロットの周波数軸上における位置を互いに異ならせる。これにより、マルチキャストサブフレーム用のパイロットについて隣接グループ間での干渉を低減することができるため、セルグループ境界にあるセルでのマルチキャストデータのチャネル推定精度の劣化を防止することができる。また、同様に、マルチキャストチャネルの回線品質の測定精度の劣化を防止することができる。【００７８】
図２１に本実施の形態に係る基地局９００の構成を示す。本実施の形態に係る置き換え部３０１は、固有系列の一部を共通系列で置き換える際に、固有系列のうち共通系列で置き換えるチップの位置をセルグループ番号に従ってセルグループ毎に異ならせる点において図８に基地局３００の置き換え部３０１と相違する。
例えばセルＡの基地局９００の置き換え部３０１は、セルグループ番号１を入力されるので、パイロット系列ａ１,ａ２,ａ３,ａ４,ａ５,ａ６においてａ２をｓ１に置き換え、ａ５をｓ２に置き換える。同様に、セルＢの基地局９００の置き換え部３０１は、セルグループ番号１を入力されるので、パイロット系列ｂ１,ｂ２,ｂ３,ｂ４,ｂ５,ｂ６においてｂ２をｓ１に置き換え、ｂ５をｓ２に置き換える。【００７９】
一方、セルＭの基地局９００の置き換え部３０１は、セルグループ番号２を入力されるので、パイロット系列ｍ１,ｍ２,ｍ３,ｍ４,ｍ５,ｍ６においてｍ３をｓ１に置き換え、ｍ６をｓ２に置き換える。同様に、セルＮの基地局９００の置き換え部３０１は、セルグループ番号２を入力されるので、パイロット系列ｎ１,ｎ２,ｎ３,ｎ４,ｎ５,ｎ６においてｎ３をｓ１に置き換え、ｎ６をｓ２に置き換える。【００８０】
基地局９００がこのような構成を採ることにより、互いに隣接するセルグループ間においてマルチキャストサブフレーム用のパイロットの周波数軸上における位置を互いに異ならせることができる。【００８１】
（実施の形態５）
上記実施の形態では基地局が備えるアンテナが１本である場合について説明したが、本実施の形態では、基地局が複数のアンテナを備え、１つのセルにおいて複数のアンテナからマルチキャストデータが送信される場合について説明する。【００８２】
例えば、セルＡの基地局がアンテナ＃１，アンテナ＃２の２本にアンテナを備える場合に、本実施の形態では、アンテナ＃１から送信される各サブフレームの先頭には図２２に示すようなパイロット系列ａ１,null,ａ３,null,ｓ２,nullを多重し、アンテナ＃２から送信される各サブフレームの先頭には図２３に示すようなパイロット系列null,ｓ１,null,ａ４,null,ａ６を多重する。そして、アンテナ＃１およびアンテナ＃２から同時に送信される２つのパイロット系列を受信する移動局では、これらのパイロット系列を合成することにより図４に示すパイロット系列を得ることができる。よって、基地局が複数のアンテナを備え、１つのセルにおいて複数のアンテナからマルチキャストデータが送信される場合でも、以上のようにしてパイロット系列の一部ずつを複数のアンテナにそれぞれ分担させて送信させることにより上記実施の形態と同様の作用・効果を得ることができる。【００８３】
以上、本発明の実施の形態について説明した。【００８４】
なお、上記実施の形態の説明で用いた「マルチキャスト」を「ブロードキャスト」と読み替えることにより、ユニキャストチャネルとブロードキャストチャネルとが時間の経過とともに随時切り替えて用いられる無線通信システムにおいて本発明を上記同様にして実施することができる。マルチキャスト通信がニュースグループ等そのサービスに加入している特定の移動局に対してのみ情報送信するような通信形態をとるのに対し、ブロードキャスト通信は現在のテレビ放送やラジオ放送のように全移動局に対して情報送信するような通信形態をとる。また、マルチキャストチャネルとブロードキャストチャネルとを合わせて、ＭＢＭＳ（Multimedia Broadcast/Multicast Service）チャネルと称することもある。【００８５】
また、ＰＣＨ（Paging Channel），ＢＣＨ（Broadcast Channel）等、マルチキャストチャネル以外の、複数のセクタ間において互いに共通の他のチャネルについても、本発明を上記同様にして実施することができる。【００８６】
また、上記実施の形態の説明で用いたユニキャストサブフレーム用のパイロットは、共通パイロットまたは個別パイロットのいずれであってもよい。【００８７】
また、上記実施の形態の説明で用いたサブフレームはスロットまたはＴＴＩ（Transmission Time Interval）と称されることもある。また、ＣＰはガードインターバル（ＧＩ：Guard Interval）と称されることもある。また、サブキャリアはトーンと称されることもある。また、基地局はNode B、移動局はUEと表されることがある。また、パイロットは参照信号と称されることもある。また、マルチキャストチャネルはＳＦＮ（Single Frequency Network）チャネルと称されることもある。また、上記実施の形態の説明で用いたサブフレームは、例えばタイムスロットやフレーム等、他の送信時間単位であってもよい。【００８８】
また、上記実施の形態では本発明をセル間において実施する場合について説明したが、上記同様にして本発明を１つのセルを複数に分割して生成される複数のセクタ間においても実施することもできる。【００８９】
また、上記実施の形態では、マルチキャストチャネルとユニキャストチャネルとをサブフレーム毎に分離して時間多重する場合を示したが、マルチキャストチャネルとユニキャストチャネルとが同一サブフレーム内において周波数または時間によって分離される場合も上記同様にして本発明を実施することができる。この場合、マルチキャストチャネルが多重されるサブキャリアに対してのみ本発明を適用してもよい。【００９０】
また、上記実施の形態では、本発明をハードウェアで構成する場合を例にとって説明したが、本発明はソフトウェアで実現することも可能である。【００９１】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００９２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００９３】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００９４】
本明細書は、２００５年１０月７日出願の特願２００５−２９５４４６および２００６年１０月５日出願の特願２００６−２７３５８３に基づくものである。これらの内容はすべてここに含めておく。
【産業上の利用可能性】
【００９５】
本発明は、移動体通信システム等に適用することができる。
【図１】
2007043477.tif 000004
【図２】
2007043477.tif 000005
【図３】
2007043477.tif 000006
【図４】
2007043477.tif 000007
【図５】
2007043477.tif 000008
【図６】
2007043477.tif 000009
【図７】
2007043477.tif 000010
【図８】
2007043477.tif 000011
【図９】
2007043477.tif 000012
【図１０】
2007043477.tif 000013
【図１１】
2007043477.tif 000014
【図１２】
2007043477.tif 000015
【図１３】
2007043477.tif 000016
【図１４】
2007043477.tif 000017
【図１５】
2007043477.tif 000018
【図１６】
2007043477.tif 000019
【図１７】
2007043477.tif 000020
【図１８】
2007043477.tif 000021
【図１９】
2007043477.tif 000022
【図２０】
2007043477.tif 000023
【図２１】
2007043477.tif 000024
【図２２】
2007043477.tif 000025
【図２３】
2007043477.tif 000026
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
複数のセル間または複数のセクタ間で互いに異なるデータを送信するために使用される第１サブフレームと、前記複数のセル間または前記複数のセクタ間で互いに同一のデータを送信するために使用される第２サブフレームとが時間多重される無線通信システムにおいて用いられる無線通信基地局装置であって、
前記第１サブフレーム用のパイロットおよび前記第２サブフレーム用のパイロットの双方を含む第１パイロット系列を生成する生成手段と、
前記第１パイロット系列を前記第２サブフレームに多重する多重手段と、
を具備する無線通信基地局装置。
【請求項２】
前記第１サブフレームはユニキャストデータ用のサブフレームであり、前記第２サブフレームはマルチキャストデータ用のサブフレームである、
請求項１記載の無線通信基地局装置。
【請求項３】
前記生成手段は、前記第１パイロット系列内において前記第１サブフレーム用のパイロットの数が前記第２サブフレーム用のパイロットの数より多い前記第１パイロット系列を生成する、
請求項１記載の無線通信基地局装置。
【請求項４】
前記生成手段は、所定のパイロット信号系列に前記複数のセル毎または前記複数のセクタ毎に異なる第１系列および前記複数のセルまたは前記複数のセクタに共通の第２系列の双方を含むスクランブリング系列を乗算して前記第１パイロット系列を生成する、
請求項１記載の無線通信基地局装置。
【請求項５】
前記スクランブリング系列は、前記第１系列の一部を前記第２系列で置き換えて生成されたものである、
請求項４記載の無線通信基地局装置。
【請求項６】
前記生成手段は、セルを構成する複数のセクタ毎にそれぞれ異なる所定のパイロット信号系列に前記複数のセル毎に異なる第１系列および前記複数のセルに共通の第２系列の双方を含むスクランブリング系列を乗算して前記第１パイロット系列を生成する、
請求項１記載の無線通信基地局装置。
【請求項７】
前記スクランブリング系列は、前記第１系列の一部を前記第２系列で置き換えて生成されたものである、
請求項６記載の無線通信基地局装置。
【請求項８】
前記多重手段は、前記第１パイロット系列を前記第１サブフレームにさらに多重する、
請求項１記載の無線通信基地局装置。
【請求項９】
前記生成手段は、前記第２サブフレーム用の複数のパイロットを含み、それらの周波数軸上における間隔が伝搬路のコヒーレント帯域幅内に収まる前記第１パイロット系列を生成する、
請求項１記載の無線通信基地局装置。
【請求項１０】
前記生成手段は、前記第１サブフレーム用のパイロットのみからなる第２パイロット系列をさらに生成し、
前記多重手段は、前記第１パイロット系列を前記第２サブフレームおよびその直後の前記第１サブフレームに多重するとともに、その他の前記第１サブフレームに前記第２パイ
ロット系列を多重する、
請求項１記載の無線通信基地局装置。
【請求項１１】
前記生成手段は、前記第１パイロット系列内において前記第２サブフレーム用のパイロットの位置が互いに異なる複数の前記第１パイロット系列を生成し、
前記多重手段は、生成された複数の前記第１パイロット系列のそれぞれを前記第１サブフレームおよび前記第２サブフレームのそれぞれに多重する、
請求項１記載の無線通信基地局装置。
【請求項１２】
前記生成手段は、前記第１サブフレーム用のパイロットのみからなる第２パイロット系列をさらに生成し、
前記多重手段は、前記第１サブフレームの先頭に前記第１パイロット系列を多重するとともに、前記先頭以外の位置に前記第２パイロット系列をさらに多重する、
請求項１記載の無線通信基地局装置。
【請求項１３】
前記生成手段は、前記第２サブフレーム用のパイロットのみからなる第３パイロット系列をさらに生成し、
前記多重手段は、前記第２サブフレームの先頭に前記第１パイロット系列を多重するとともに、前記先頭以外の位置に前記第３パイロット系列をさらに多重する、
請求項１記載の無線通信基地局装置。
【請求項１４】
前記第２サブフレーム用のパイロットおよび前記互いに同一のデータの双方に前記複数のセル毎または前記複数のセクタ毎に異なる位相回転を与える位相回転手段、をさらに具備する、
請求項１記載の無線通信基地局装置。
【請求項１５】
複数のセル間または複数のセクタ間で互いに異なるデータを送信するために使用される第１サブフレームと、前記複数のセル間または前記複数のセクタ間で互いに同一のデータを送信するために使用される第２サブフレームとが時間多重される無線通信システムにおいて用いられるパイロット送信方法であって、
前記第１サブフレーム用のパイロットおよび前記第２サブフレーム用のパイロットの双方を含むパイロット系列を前記第２サブフレームにおいて送信する、
パイロット送信方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置およびパイロット送信方法に関する。
【背景技術】
【０００２】
近年、移動体通信においては、音声以外に画像やデータ等の様々な情報が伝送の対象になっている。これに伴って、高信頼かつ高速な伝送に対する必要性がさらに高まっている。しかし、移動体通信において高速伝送を行う場合、マルチパスによる遅延波の影響が無視できなくなり、周波数選択性フェージングにより伝送特性が劣化する。
【０００３】
周波数選択性フェージング対策技術の１つとして、ＯＦＤＭ（Orthogonal Frequency Division Multiplexing）方式に代表されるマルチキャリア通信が注目されている。マルチキャリア通信は、周波数選択性フェージングが発生しない程度に伝送速度が抑えられた複数のサブキャリアを用いてデータを伝送することにより、高速伝送を行う技術である。特に、ＯＦＤＭ方式は、データが配置される複数のサブキャリアの周波数が互いに直交しているため、マルチキャリア通信の中でも最も周波数利用効率が高く、また、比較的簡単なハードウェア構成で実現できる。このため、ＯＦＤＭ方式は、セルラ方式移動体通信に採用される通信方法として注目されており、様々な検討が加えられている。また、ＯＦＤＭ方式では、符号間干渉（ＩＳＩ：IntersymbolInterference）を防止するために、各ＯＦＤＭシンボルの先頭にそのＯＦＤＭシンボルの後端部分をサイクリック・プリフィクス（ＣＰ：Cyclic Prefix）として付加する。これにより、受信側では、遅延波の遅延時間がＣＰの時間長（以下、ＣＰ長という）以内に収まる限りＩＳＩを防止することができる。
【０００４】
一方、最近、マルチキャスト通信に関する検討が行われている。マルチキャスト通信は、ユニキャスト通信のような１対１の通信ではなく、１対多の通信となる。すなわち、マルチキャスト通信では、１つの無線通信基地局装置（以下、基地局という）が複数の無線通信移動局装置（以下、移動局という）に同時に同じデータを送信する。このマルチキャスト通信により、移動体通信システムにおいて音楽データやビデオ画像データの配信サービス、テレビ放送等の放送サービス等が実現される。また、マルチキャスト通信を用いて行うサービスとしては１つの基地局ではカバーしきれない比較的広い通信エリアに対するサービスが想定されているため、マルチキャスト通信では複数の基地局から同じデータを送信することでその広い通信エリア全体をカバーする。よって、マルチキャスト通信のデータ（マルチキャストデータ）は、複数の基地局によって共用されるマルチキャストチャネルを用いて伝送される。このようにマルチキャストチャネルでは複数の基地局から同時に同じデータが送信されるため、セル境界付近に位置する移動局では、複数の基地局からのマルチキャストデータが混合された状態で受信される。
【０００５】
ここで、マルチキャスト通信にＯＦＤＭ方式を用いると、セル境界付近に位置する移動局では、複数の基地局から同時に送信される複数の同一ＯＦＤＭシンボルがＣＰ長以内の時間差で受信されると、それらのＯＦＤＭシンボルが合成されて受信電力が増幅された状態で受信される。このような合成された信号の伝搬路変動（位相変動および振幅変動）をチャネル推定により補正するためには、合成された信号のチャネル推定値が必要となる。よって、ＯＦＤＭ方式を利用したマルチキャスト通信では、チャネル推定値を求めるために使用されるパイロットについても、マルチキャストデータ同様、複数の基地局から同時に同一のパイロットが送信される必要がある。
【０００６】
一方、ユニキャストチャネルでは、複数の基地局が互いに異なるデータ（ユニキャストデータ）を送信する（非特許文献１参照）。このため、移動局において複数の基地局から
のユニキャストデータをそれぞれ区別することができるように、ユニキャストデータにはセル毎に異なる各基地局固有のスクランブリングコードが掛けられる。よって、ユニキャスト通信では、チャネル推定値を求めるために使用されるパイロットについても、ユニキャストデータ同様、各基地局固有のスクランブリングコードが掛けられる。
【０００７】
また、図１に示すようにユニキャストデータとマルチキャストデータとをサブフレーム単位で時間多重し、ユニキャストチャネルとマルチキャストチャネルとを時間の経過とともに随時切り替えて用いることも検討されている（非特許文献２参照）。この文献によれば、１フレームがサブフレーム＃１〜＃２０の２０サブフレームで構成される例が示されている。また、各サブフレームの先頭には、ユニキャストデータとマルチキャストデータとで互いに異なる上記のようなパイロット（Ｐ）が時間多重される。なお、図１では、一例として３サブフレーム毎にマルチキャストデータが多重されるフレーム構成を挙げた。
【非特許文献１】3GPP RAN WG1 LTE Adhoc meeting (2005.06) R1-050589 “Pilot channel and scrambling code in evolved UTRA downlink”
【非特許文献２】3GPP RAN WG1 LTE Adhoc meeting (2005.06) R1-050590 “Physical channels and multiplexing in evolved UTRA downlink”
【発明の開示】
【発明が解決しようとする課題】
【０００８】
ここで、図１に示すようにサブフレームの先頭にパイロットが時間多重される場合、そのパイロットを用いて求めたチャネル推定値をそのサブフレーム全体のデータに対して使用するため、サブフレームの先頭部分では補正の精度が高いのに対し、後端にいくほど補正の精度が徐々に低くなる。この精度低下を抑えるために、サブフレーム間でチャネル推定値の補間処理を行うことが考えられる。例えば、図１において、サブフレーム＃１のパイロットを用いて算出されたチャネル推定値とサブフレーム＃２のパイロットを用いて算出されたチャネル推定値との間での補間処理によりサブフレーム＃１のユニキャストデータに対するチャネル推定値を求め、サブフレーム＃２のパイロットを用いて算出されたチャネル推定値とサブフレーム＃３のパイロットを用いて算出されたチャネル推定値との間での補間処理によりサブフレーム＃２のユニキャストデータに対するチャネル推定値を求め、サブフレーム＃３のパイロットを用いて算出されたチャネル推定値とサブフレーム＃４のパイロットを用いて算出されたチャネル推定値との間での補間処理によりサブフレーム＃３のマルチキャストデータに対するチャネル推定値を求めるようにする。
【０００９】
しかし、ユニキャストデータのサブフレームとマルチキャストデータのサブフレームとでは上記のように互いに異なるパイロットが送信されるため、移動局では、ユニキャストデータのサブフレームでは自局と通信中にある１つの基地局からのパイロットに基づいたチャネル推定値が求められるのに対し、マルチキャストデータのサブフレームでは複数の基地局からのパイロットが合成された信号に基づいたチャネル推定値が求められる。よって、ユニキャストデータのサブフレームで求められるチャネル推定値が１つの伝搬路の状態を表すものであるのに対し、マルチキャストデータのサブフレームで求められるチャネル推定値は複数の伝搬路の状態が混合されたものとなる。よって、これらのチャネル推定値間で上記のような補間処理を行うと補間精度が著しく低下する。このため、補間処理により求めたチャネル推定値を使用した受信信号補正ではその精度が著しく低下し、その結果、誤り率特性が劣化する。より具体的には、図１において、サブフレーム＃２（ユニキャストデータ）のパイロットから求められるチャネル推定値とサブフレーム＃３（マルチキャストデータ）のパイロットから求められるチャネル推定値との間での補間処理では補間精度が低いため、サブフレーム＃２のユニキャストデータの誤り率特性が劣化する。また、同様に、サブフレーム＃３（マルチキャストデータ）のパイロットから求められるチャネル推定値とサブフレーム＃４（ユニキャストデータ）のパイロットから求められるチャネル推定値との間での補間処理では補間精度が低いため、サブフレーム＃３のマルチキ
ャストデータの誤り率特性が劣化する。
【００１０】
このように、ユニキャストデータとマルチキャストデータとが時間多重され、両者の間においてチャネル推定値の補間処理が行われる場合に、マルチキャストデータのサブフレームの直前にあるユニキャストデータのサブフレームにおいて誤り率特性が劣化し、ユニキャストデータのサブフレームの直前にあるマルチキャストデータのサブフレームにおいて誤り率特性が劣化する。
【００１１】
本発明の目的は、サブフレーム間でのチャネル推定値の補間精度を高めることができる基地局およびパイロット送信方法を提供することである。
【課題を解決するための手段】
【００１２】
本発明の基地局は、複数のセル間または複数のセクタ間で互いに異なるデータを送信するために使用される第１サブフレームと、前記複数のセル間または前記複数のセクタ間で互いに同一のデータを送信するために使用される第２サブフレームとが時間多重される無線通信システムにおいて用いられる基地局であって、前記第１サブフレーム用のパイロットおよび前記第２サブフレーム用のパイロットの双方を含む第１パイロット系列を生成する生成手段と、前記第１パイロット系列を前記第２サブフレームに多重する多重手段と、を具備する構成を採る。
【発明の効果】
【００１３】
本発明によれば、サブフレーム間でのチャネル推定値の補間精度を高めることができる。
【発明を実施するための最良の形態】
【００１４】
以下、本発明の実施の形態について、添付図面を参照して詳細に説明する。
【００１５】
（実施の形態１）
本実施の形態に係る基地局は、複数の基地局が互いに異なるデータを送信するために使用されるサブフレームと、複数の基地局が互いに同一のデータを送信するために使用されるサブフレームとが時間多重される無線通信システムにおいて用いられるものである。特に、本実施の形態に係る基地局は、上記図１のようにユニキャストデータ用のサブフレーム（以下、ユニキャストサブフレームという）とマルチキャストデータ用のサブフレーム（以下、マルチキャストサブフレーム）とが時間多重される無線通信システムに好適である。よって、以下の説明では、複数の基地局が互いに異なるデータを送信するために使用されるサブフレームとしてユニキャストサブフレームを、複数の基地局が互いに同一のデータを送信するために使用されるサブフレームとしてマルチキャストサブフレームを一例に挙げて説明する。なお、本実施の形態でのフレーム構成は図１と同一であるものとする。
【００１６】
図２に本実施の形態に係る基地局１００の構成を示し、図３に本実施の形態に係る移動局２００の構成を示す。
【００１７】
図２に示す基地局１００において、符号化部１０１は、ユニキャストデータを符号化して変調部１０２に出力する。
【００１８】
変調部１０２は、符号化後のユニキャストデータを変調してユニキャストデータシンボルを生成し、多重部１０６に出力する。
【００１９】
符号化部１０３は、マルチキャストデータを符号化して変調部１０４に出力する。
【００２０】
変調部１０４は、符号化後のマルチキャストデータを変調してマルチキャストデータシンボルを生成し、多重部１０６に出力する。
【００２１】
スクランブリング部１０５は、複数のセル毎に異なる基地局１００固有の系列（固有系列）および複数の基地局に共通の系列（共通系列）の双方を含むスクランブリング系列を所定のパイロット信号系列にチップ毎に乗算するスクランブリング処理を行って、ユニキャストサブフレーム用のパイロットおよびマルチキャストサブフレーム用のパイロットの双方を含むパイロット系列を生成し、多重部１０６に出力する。
【００２２】
多重部１０６は、図１に示すフレーム構成に従って、パイロット系列とユニキャストデータシンボルとマルチキャストデータシンボルとを時間多重してＳ／Ｐ部１０７に出力する。この時間多重は図１に示すようにサブフレーム単位で行われる。また、各サブフレームの先頭にパイロット系列が時間多重される。
【００２３】
Ｓ／Ｐ部１０７は、多重部１０６から直列に順次入力されるパイロット系列、ユニキャストデータシンボルおよびマルチキャストデータシンボルを１ＯＦＤＭシンボルに含まれるサブキャリア数分ずつ並列に変換してＩＦＦＴ（Inverse Fast Fourier Transform）部１０８に出力する。これにより、パイロット系列、ユニキャストデータシンボルまたはマルチキャストデータシンボルがＯＦＤＭシンボルを構成する各サブキャリアに割り当てられる。
【００２４】
ＩＦＦＴ部１０８は、パイロット系列、ユニキャストデータシンボルまたはマルチキャストデータシンボルが割り当てられた複数のサブキャリアに対してＩＦＦＴを行って時間領域の信号に変換し、マルチキャリア信号であるＯＦＤＭシンボルを生成する。このＯＦ
ＤＭシンボルは、ＣＰ付加部１０９に入力される。
【００２５】
ＣＰ付加部１０９は、ＯＦＤＭシンボルの後尾部分と同じ信号をＣＰとしてＯＦＤＭシンボルの先頭に付加する。
【００２６】
無線送信部１１０は、ＣＰ付加後のＯＦＤＭシンボルに対しＤ／Ａ変換、増幅およびアップコンバート等の送信処理を行ってアンテナ１１１から移動局２００（図３）へ送信する。
【００２７】
図３に示す移動局２００において、無線受信部２０２は、基地局１００（図２）から送信されたＯＦＤＭシンボルをアンテナ２０１を介して受信し、受信されたＯＦＤＭシンボルに対してダウンコンバート、Ａ／Ｄ変換等の受信処理を行ってＣＰ除去部２０３に出力する。
【００２８】
ＣＰ除去部２０３は、ＯＦＤＭシンボルに付加されたＣＰを除去してＦＦＴ（Fast Fourier Transform）部２０４に出力する。
【００２９】
ＦＦＴ部２０４は、ＣＰ除去部２０３より入力されるＯＦＤＭシンボルをＦＦＴして周波数領域の信号に変換し、パイロット系列、ユニキャストデータシンボルまたはマルチキャストデータシンボルを得てＰ／Ｓ部２０５にサブキャリア数分並列に出力する。
【００３０】
Ｐ／Ｓ部２０５は、ＦＦＴ部２０４から並列に入力されるパイロット系列、ユニキャストデータシンボルまたはマルチキャストデータシンボルを直列に変換して分別部２０６に出力する。
【００３１】
分別部２０６は、パイロット系列とデータシンボルとを分別して、パイロット系列をパイロット選択部２０７に出力し、ユニキャストデータシンボルおよびマルチキャストデータシンボルを補正部２０９に出力する。
【００３２】
パイロット選択部２０７は、チャネル推定がなされるデータの種類に応じたパイロット信号をパイロット系列から選択する。パイロット選択部２０７は、分別部２０６から補正部２０９にユニキャストデータシンボルが出力される場合、すなわち、ユニキャストサブフレームでは、ユニキャストサブフレーム用のパイロットを選択してチャネル推定部２０８に出力し、分別部２０６から補正部２０９にマルチキャストデータシンボルが出力される場合、すなわち、マルチキャストサブフレームでは、マルチキャストサブフレーム用のパイロットを選択してチャネル推定部２０８に出力する。また、移動局２００ではサブフレーム間におけるチャネル推定値の補間処理が行われるため、パイロット選択部２０７は、現サブフレームと次サブフレームのパイロットを選択する。例えば、パイロット選択部２０７は、図１に示すサブフレーム＃２のユニキャストデータに対するチャネル推定が行われる場合は、サブフレーム＃２およびサブフレーム＃３の先頭にあるパイロット系列の中からユニキャストサブフレーム用のパイロットを選択する。また、例えば、パイロット選択部２０７は、図１に示すサブフレーム＃３のマルチキャストデータに対するチャネル推定が行われる場合は、サブフレーム＃３およびサブフレーム＃４の先頭にあるパイロット系列の中からマルチキャストサブフレーム用のパイロットを選択する。
【００３３】
チャネル推定部２０８は、パイロット選択部２０７で選択されたパイロットを用いてチャネル推定値を算出する。また、チャネル推定部２０８は、算出したチャネル推定値を用いて、サブキャリア間での補間処理およびサブフレーム間での補間処理を行って、サブフレームに含まれるすべてのデータシンボルに対するチャネル推定値を算出する。
【００３４】
補正部２０９は、チャネル推定部２０８で算出されたチャネル推定値を用いて、ユニキャストデータシンボルおよびマルチキャストデータシンボルの伝搬路変動を補正して復調部２１０に出力する。補正部２０９は、各データシンボルにチャネル推定値の複素共役を乗算することにより各データシンボルの伝搬路変動を補正する。
【００３５】
復調部２１０は、補正部２０９から入力される各データシンボルを復調して復号部２１１に出力する。
【００３６】
復号部２１１は、復調後の各データシンボルを復号する。これにより、受信データが得られる。
【００３７】
次いで、基地局１００のスクランブリング部１０５でのスクランブリング処理に使用されるスクランブリング系列の生成方法について説明する。このスクランブリング系列は、以下のようにして、固有系列であるスクランブリングコードの一部を共通系列で置き換えることにより生成される。
【００３８】
すなわち、基地局１００固有のスクランブリングコードをチップａ１,ａ２,ａ３,…,ａＮ（但し、Ｎは１ＯＦＤＭシンボルに含まれるサブキャリアの数）、共通系列をチップｓ１,ｓ２,ｓ３,…,ｓＭ（但し、Ｍ＜Ｎ／２）、パイロット信号系列をｐ１,ｐ２,ｐ３,…，ｐＮとした場合、例えば、スクランブリングコードの２チップ目を始点とし３チップ毎の位置にある各チップを共通系列で置き換えることによりスクランブリング系列を生成する。よって、ここで生成されるスクランブリング系列はａ１,ｓ１,ａ３,ａ４,ｓ２,ａ６,…,ｓＭ,…,ａＮとなり、このスクランブリング系列には、固有系列および共通系列の双方が含まれることになる。そして、スクランブリング部１０５では、パイロット信号系列ｐ１,ｐ２,ｐ３,…，ｐＮに対して、このスクランブリング系列ａ１,ｓ１,ａ３,ａ４,ｓ２,ａ６,…,ｓＭ,…,ａＮを乗算する。よって、この乗算より生成されるパイロット系列は、ａ１・ｐ１,ｓ１・ｐ２,ａ３・ｐ３,ａ４・ｐ４,ｓ２・ｐ５,ａ６・ｐ６,…,ｓＭ・ｐ３Ｍ−１,…,ａＮ・ｐＮとなる。ここで説明を簡単にするためにパイロット信号系列としてｐ１＝ｐ２＝ｐ３＝…＝ｐＮ＝１である系列を用いると、上記のようにして生成されたスクランブリング系列（ａ１,ｓ１,ａ３,ａ４,ｓ２,ａ６,…,ｓＭ,…,ａＮ）そのものがパイロット系列となる。そして、このパイロット系列ａ１,ｓ１,ａ３,ａ４,ｓ２,ａ６,…,ｓＭ,…,ａＮが、多重部１０６により、図４に示すように各サブフレームの先頭に多重される。図４では、説明を簡単にするために、Ｎ＝６とし、１ＯＦＤＭシンボルがサブキャリアｆ１〜ｆ６の６つのサブキャリアからなる場合を示している。よって、図４において、ａ１,ａ３,ａ４,ａ６は基地局１００に固有のパイロットとなるためユニキャストサブフレーム用のパイロットとして使用でき、一方、ｓ１,ｓ２は複数の基地局に共通のパイロットとなるためマルチキャストサブフレーム用のパイロットとして使用できる。このように、スクランブリング部１０５で生成されるパイロット系列には、ユニキャストサブフレーム用のパイロットおよびマルチキャストサブフレーム用のパイロットの双方が含まれる。
【００３９】
さらに、移動局２００でのチャネル推定の際に周波数軸方向での伝搬路変動に十分追従できるようにするため、上記のようにパイロット系列にマルチキャストサブフレーム用のパイロットｓｉが複数含まれる場合、それらのパイロットの周波数軸上における間隔は伝搬路のコヒーレント帯域幅以内に設定される。よって、スクランブリング部１０５は、マルチキャストサブフレーム用のパイロットｓ１,ｓ２の間の周波数軸上における間隔が伝搬路のコヒーレント帯域幅内に収まるパイロット系列を生成することになる。
【００４０】
また、マルチキャストサブフレーム用のパイロットは複数の基地局で同一であるため、基地局間での干渉が発生しない。よって、パイロット系列中におけるマルチキャストサブフレーム用のパイロットの数は伝搬路変動に追従可能な最低限の数でよい。一方、ユニキ
ャストサブフレーム用のパイロットは基地局毎に異なるため、基地局間での干渉が発生する。この干渉を平均化処理等により低減するためには多くのパイロットが必要となる。そこで、本実施の形態では、上記のように、パイロット系列内においてユニキャストサブフレーム用のパイロットの数がマルチキャストサブフレーム用のパイロットの数より多くなるように設定される。ここでは、マルチキャストサブフレーム用のパイロットがｓ１,ｓ２の２つであるのに対し、ユニキャストサブフレーム用のパイロットがａ１,ａ３,ａ４,ａ６の４つであるパイロット系列がスクランブリング部１０５により生成される。
【００４１】
次いで、移動局２００のチャネル推定部２０８で行われるチャネル推定値の算出について説明する。ここでは、セルＡの基地局１００がパイロット系列ａ１,ｓ１,ａ３,ａ４,ｓ２,ａ６を図４に示すように各サブフレームの先頭において送信し、同一の構成を採るセルＢの基地局１００が上記同様にして生成されたパイロット系列ｂ１,ｓ１,ｂ３,ｂ４,ｓ２,ｂ６を図５に示すように各サブフレームの先頭において送信するものとする。また、移動局２００はセルＡに位置するものとする。
【００４２】
移動局２００では、図６に示すように、パイロット系列ａ１,ｓ１,ａ３,ａ４,ｓ２,ａ６とパイロット系列ｂ１,ｓ１,ｂ３,ｂ４,ｓ２,ｂ６とが伝搬路上で合成されて受信される。よって、移動局２００において受信されるパイロット系列は、ａ１ｈ１＋ｂ１ｌ１,ｓ１（ｈ２＋ｌ２）,ａ３ｈ３＋ｂ３ｌ３,ａ４ｈ４＋ｂ４ｌ４,ｓ２（ｈ５＋ｌ５）,ａ６ｈ６＋ｂ６ｌ６となる。ここで、ｈｉはセルＡでの伝搬路を表し、ｌｉはセルＢでの伝搬路を表す。つまり、移動局２００において受信されるパイロット系列は、マルチキャストサブフレーム用のパイロット部分ではｓｉ（ｈｉ＋ｌｉ）となり、ユニキャストサブフレーム用のパイロット部分ではａｉｈｉ＋ｂｉｌｉとなる。
【００４３】
そして、チャネル推定部２０８は図７に示すようにしてチャネル推定値を算出する。
【００４４】
すなわち、マルチキャストデータ（サブフレーム＃３のデータ）に対するチャネル推定が行われる場合は、上記のように、パイロット選択部２０７によって、サブフレーム＃３の先頭にある受信パイロット系列の中からサブキャリアｆ２,ｆ５の受信パイロットｓ１（ｈ２＋ｌ２）,ｓ２（ｈ５＋ｌ５）が選択される。チャネル推定部２０８は、パイロットｓ１（ｈ２＋ｌ２）にｓ１の複素共役を乗算してチャネル推定値ｇ２＝ｈ２＋ｌ２を求めるとともに、パイロットｓ２（ｈ５＋ｌ５）にｓ２の複素共役を乗算してチャネル推定値ｇ５＝ｈ５＋ｌ５を求める。サブフレーム＃４においても同様の処理がなされｇ２およびｇ５が得られる。そして、チャネル推定部２０８は、図７に示すように、サブフレーム＃３およびサブフレーム＃４の先頭において、ｇ２およびｇ５を用いたサブキャリア間での補間処理を行ってサブフレーム＃３およびサブフレーム＃４の先頭における残りのチャネル推定値ｇ１,ｇ３,ｇ４,ｇ６を求める。また、チャネル推定部２０８は、図７に示すように、サブフレーム＃３の先頭とサブフレーム＃４の先頭との間でチャネル推定値ｇ１〜ｇ６各々についての補間処理を行って、サブフレーム＃３に含まれるすべてのマルチキャストデータシンボルに対するチャネル推定値を算出する。
【００４５】
一方、ユニキャストデータ（サブフレーム＃２のデータ）に対するチャネル推定が行われる場合は、上記のように、パイロット選択部２０７によって、サブフレーム＃２の先頭にある受信パイロット系列の中からサブキャリアｆ１,ｆ３,ｆ４,ｆ６の受信パイロットａ１ｈ１＋ｂ１ｌ１,ａ３ｈ３＋ｂ３ｌ３,ａ４ｈ４＋ｂ４ｌ４,ａ６ｈ６＋ｂ６ｌ６が選択される。チャネル推定部２０８は、式（１）に示すように、パイロットａ１ｈ１＋ｂ１ｌ１にａ１の複素共役を乗算するとともにパイロットａ３ｈ３＋ｂ３ｌ３にａ３の複素共役を乗算し、これらの乗算結果を加算する。なお、近接するサブキャリア間ではほぼ同じ伝搬路とみなせるため、式（１）においてはｈ１＋ｈ３を２ｈ１とした。
【数１】
2007043477.tif 000027
【００４６】
ここで、ａ１,ａ３,ｂ１,ｂ３が互いにランダムであればそれらが互いに強め合うことはないため、式（１）の算出結果における第２項の値は２ｈ１に比べ十分小さい値となって無視することができる。よって、式（１）の算出結果は２ｈ１となり、チャネル推定値ｈ１が求められる。このようにチャネル推定部２０８は、ユニキャストデータに対するチャネル推定値を求める際には、干渉成分ｌｉを抑圧するために、近接サブキャリア間においてチャネル推定値の平均化を行う。
【００４７】
チャネル推定部２０８は、パイロットａ３ｈ３＋ｂ３ｌ３,ａ４ｈ４＋ｂ４ｌ４,ａ６ｈ６＋ｂ６ｌ６それぞれの間でも上記同様の演算を行って、チャネル推定値ｈ３,ｈ４,ｈ６を求める。また、サブフレーム＃３においても同様の処理がなされｈ１,ｈ３,ｈ４,ｈ６が得られる。そして、チャネル推定部２０８は、図７に示すように、サブフレーム＃２およびサブフレーム＃３の先頭においてｈ１,ｈ３およびｈ４,ｈ６を用いたサブキャリア間での補間処理を行ってサブフレーム＃２およびサブフレーム＃３の先頭における残りのチャネル推定値ｈ２,ｈ５を求める。また、チャネル推定部２０８は、図７に示すように、サブフレーム＃２の先頭とサブフレーム＃３の先頭との間でチャネル推定値ｈ１〜ｈ６各々についての補間処理を行って、サブフレーム＃２に含まれるすべてのユニキャストデータシンボルに対するチャネル推定値を算出する。
【００４８】
なお、上記説明では、ユニキャストデータシンボルに対するチャネル推定値の算出において、受信パイロットｓ１（ｈ２＋ｌ２）およびｓ２（ｈ５＋ｌ５）を用いていないが、移動局２００がセルＡの中心付近に位置しｈｉの値がｌｉの値に比べて十分大きくなる場合には、これらの受信パイロットも用いてユニキャストデータシンボルに対するチャネル推定値を求めることによりチャネル推定精度が向上する。
【００４９】
このように、本実施の形態によれば、基地局１００はユニキャストサブフレーム用のパイロットおよびマルチキャストサブフレーム用のパイロットの双方を含むパイロット系列を各サブフレームにおいて送信するため、移動局２００では、上記のように、１つの伝搬路の状態を表すチャネル推定値同士で補間処理を行うことができるとともに、複数の伝搬路の状態が混合されたチャネル推定値同士で補間処理を行うことができるので、ユニキャストチャネルとマルチキャストチャネルとがサブフレーム単位で時間多重され、両者の間においてチャネル推定値の補間処理が行われる場合でも補間精度を高めることができる。よって、本実施の形態によれば、チャネル推定値の補間精度が低いことによる誤り率特性の劣化を防ぐことができる。
【００５０】
また、本実施の形態によれば、従来のスクランブリングコードの一部を共通系列で置き換えて生成した系列を従来のパイロット信号系列に乗算するという簡易な処理だけで、ユニキャストサブフレーム用のパイロットおよびマルチキャストサブフレーム用のパイロットの双方を含むパイロット系列を生成することができる。
【００５１】
また、本実施の形態によれば、単一のパイロット構成によりユニキャストデータおよびマルチキャストデータ双方に対するチャネル推定を行うことができるため、簡易な通信シ
ステムを実現することができる。
【００５２】
なお、上記説明ではパイロット系列が各サブフレームの先頭（１ＯＦＤＭシンボル目）に多重される場合を一例として説明したが、例えば各サブフレームの先頭に制御情報等が多重される場合は、パイロット系列を各サブフレームの２ＯＦＤＭシンボル目以降に多重してもよい。
【００５３】
また、上記説明ではパイロット信号系列に対してのみスクランブリング系列を乗算していたが、ユニキャストデータシンボルおよびマルチキャストデータシンボルに対してもスクランブリング系列を乗算してもよい。または、ユニキャストデータシンボルおよびマルチキャストデータシンボルには基地局１００固有のスクランブリングコードを乗算してもよい。
【００５４】
また、上記説明ではスクランブリングコードの一部を共通系列で置き換えることによりスクランブリング系列を生成したが、スクランブリングコードのチップ間に共通系列のチップの各々を挿入することによりスクランブリング系列を生成してもよい。
【００５５】
また、マルチキャストサブフレーム用のパイロットの送信電力をユニキャストサブフレーム用のパイロットの送信電力よりも小さく設定してもよい。基地局１００の総送信電力には上限があるため、基地局間相互での干渉が発生しないマルチキャストサブフレーム用のパイロットの送信電力を小さくし、その分、基地局間相互での干渉が発生するユニキャストサブフレーム用のパイロットの送信電力を大きくすることで、干渉によるユニキャストデータの誤り率特性劣化を抑えることができる。
【００５６】
また、上記説明では予め生成されたスクランブリング系列が基地局１００に予め設定されておりスクランブリング系列は変化しないものとして説明したが、基地局１００の上位にある無線回線制御局装置（以下、制御局という）により固有系列（スクランブリングコード）が変えられることがある無線通信システムでは、基地局の構成を図８に示すものにするとよい。図８に示す基地局３００は、図２に示す構成にさらに置き換え部３０１を追加したものである。基地局３００は固有系列および共通系列を制御局から通知され、置き換え部３０１は、上記同様にしてその固有系列の一部をその共通系列で置き換えることによりスクランブリング系列を生成する。なお、この構成では置き換え部３０１にて生成されたスクランブリング系列がパイロット信号系列に乗算されるが、スクランブリングコードをそのままパイロット信号系列に乗算してパイロット系列を生成し、その後、そのパイロット系列の一部を置き換え部３０１により共通系列で置き換えるようにしてもよい。
【００５７】
また、１つのセルが複数のセクタに分割されている場合は、セクタ毎にそれぞれ異なる所定のパイロット信号系列が設定されることがある。また、セクタ間相互での干渉を低減するために、所定のパイロット信号系列として例えばＯＶＳＦ系列等の直交系列を用いる場合がある。この場合、各セクタに用いる直交系列は全セルで共通である。そこで、この場合は、それらのパイロット信号系列（直交系列）に対してセル毎に異なる基地局固有のスクランブリングコードが掛けられる。このような無線通信システムにおいては、図９に示すように、スクランブリングコード（固有系列）のチップのうち、各セクタのパイロット信号系列のチップの中ですべてのセクタにおいて位相（１,−１）が同一となるチップに対応する箇所を、全セル共通の共通系列で置き換えることによりスクランブリング系列を生成するとよい。これにより、セルを構成する複数のセクタ毎にそれぞれ異なるパイロット信号系列が設定されている場合でも、上記同様、固有系列および共通系列の双方を含むスクランブリング系列を生成することができ、ユニキャストサブフレーム用のパイロットおよびマルチキャストサブフレーム用のパイロットの双方を含むパイロット系列を生成することができる。
【００５８】
また、上記説明では図４に示すようにユニキャストサブフレーム用のパイロットおよびマルチキャストサブフレーム用のパイロットの双方を含むパイロット系列を全サブフレームの先頭に多重したが、マルチキャストサブフレームでは基地局間相互での干渉が発生せず、また、マルチキャストデータはＱＰＳＫ等、変調多値数が小さい変調方式で変調されることが多いため、マルチキャストデータシンボルは伝搬路変動の影響を受けにくい。そこで、図１０に示すように、ユニキャストサブフレーム用のパイロットおよびマルチキャストサブフレーム用のパイロットの双方を含むパイロット系列をマルチキャストサブフレームの先頭にのみ多重し、ユニキャストサブフレームの先頭にはユニキャストサブフレーム用のパイロットのみからなるパイロット系列を多重するようにしてもよい。または、図１１に示すように、ユニキャストサブフレーム用のパイロットおよびマルチキャストサブフレーム用のパイロットの双方を含むパイロット系列をマルチキャストサブフレームの先頭およびそのマルチキャストサブフレームの直後のユニキャストサブフレームの先頭にのみ多重し、その他のユニキャストサブフレームの先頭にはユニキャストサブフレーム用のパイロットのみからなるパイロット系列を多重するようにしてもよい。または、図１２に示すように、ユニキャストサブフレーム用のパイロットおよびマルチキャストサブフレーム用のパイロットの双方を含むパイロット系列をマルチキャストサブフレームの先頭にのみ多重するとともに、マルチキャストサブフレームの後端にはマルチキャストサブフレーム用のパイロットのみからなるパイロット系列を多重し、ユニキャストサブフレームの先頭にはユニキャストサブフレーム用のパイロットのみからなるパイロット系列を多重するようにしてもよい。このようにすることで、周波数軸上におけるユニキャストサブフレーム用のパイロットの数を増やすことができるため、ユニキャストデータシンボルに対するチャネル推定の精度を向上させることができる。なお、このようにする場合は、図８に示す置き換え部３０１は、上記処理に加え、固有系列または共通系列をそのままスクランブリング系列としてスクランブリング部１０５に出力し、スクランブリング部１０５は、そのスクランブリング系列をパイロット信号系列に乗算してユニキャストサブフレーム用のパイロットのみからなるパイロット系列またはマルチキャストサブフレーム用のパイロットのみからなるパイロット系列を生成する。
【００５９】
また、上記説明では図４に示すようにマルチキャストサブフレーム用のパイロットの周波数軸上における位置を全サブフレームで同一（図４ではサブキャリアｆ２,ｆ５）としたが、図１３に示すように、その位置をサブフレーム毎に変化させてもよい。つまり、マルチキャストサブフレーム用のパイロットの位置が互いに異なる複数のパイロット系列のそれぞれをユニキャストサブフレームおよびマルチキャストサブフレームのそれぞれの先頭に多重するようにしてもよい。このようにすることで、マルチキャストサブフレーム用のパイロットがないサブキャリア、すなわちチャネル推定精度が劣るサブキャリアが複数のサブフレームに渡って連続することがなくなるため、全サブキャリアでチャネル推定精度が均一化され、誤り率特性を向上させることができる。なお、このようにする場合は、図８に示す置き換え部３０１は、上記処理に加え、固有系列の一部を共通系列で置き換える際に、固有系列のうち共通系列で置き換えるチップの位置をサブフレーム毎に変化させる。これにより、スクランブリング部１０５は、マルチキャストサブフレーム用のパイロットの位置が互いに異なる複数のパイロット系列を生成することができる。
【００６０】
また、チャネル推定値の時間軸方向での補間精度をより高めるために、図１４に示すように、各サブフレームの先頭に加え、先頭以外の位置にもパイロット系列を多重するようにしてもよい。このようにする場合、ユニキャストサブフレーム内においてはユニキャストデータシンボルに対するチャネル推定値のみが必要であり、また、マルチキャストサブフレーム内においてはマルチキャストデータシンボルに対するチャネル推定値のみが必要であることから、図１４に示すように、各サブフレームの先頭にはユニキャストサブフレーム用のパイロットおよびマルチキャストサブフレーム用のパイロットの双方を含むパイ
ロット系列を多重するのに対し、ユニキャストサブフレームでは先頭以外の位置に多重するパイロット系列をユニキャストサブフレーム用のパイロットのみからなるパイロット系列とし、マルチキャストサブフレームでは先頭以外の位置に多重するパイロット系列をマルチキャストサブフレーム用のパイロットのみからなるパイロット系列とする。
【００６１】
また、１ＯＦＤＭシンボルに含まれるすべてのサブキャリアにパイロットをマッピングするのではなく、図１４に示すように、間欠的にマッピングしてもよい。図１４に示す例では、２サブキャリア毎にパイロットをマッピングしている。このようにする場合、各サブフレームの先頭においてパイロットがマッピングされないサブキャリアにはデータシンボルをマッピングする。
【００６２】
また、図１４に代えて図１５に示すようパイロット系列を多重してもよい。図１５に示す例では、各サブフレームの先頭にはユニキャストサブフレーム用のパイロットのみからなるパイロット系列を多重するのに対し、各サブフレームの先頭以外の位置に多重するパイロット系列をユニキャストサブフレーム用のパイロットおよびマルチキャストサブフレーム用のパイロットの双方を含むパイロット系列とする点が図１４に示す例と異なる。
【００６３】
（実施の形態２）
実施の形態１において、マルチキャストデータに対するチャネル推定が行われる場合に算出されるチャネル推定値ｇｉは、上記のようにセルＡでのチャネル推定値ｈｉとセルＢでのチャネル推定値ｌｉとが混合されたチャネル推定値であるため、このチャネル推定値をユニキャストデータに対するチャネル推定に用いることはできない。
【００６４】
そこで、本実施の形態では、スクランブリング系列に含まれる固有系列および共通系列のうち、共通系列に対しセル毎に異なる各基地局に固有の位相回転を与える。
【００６５】
図１６に本実施の形態に係る基地局５００の構成を示す。基地局５００は、実施の形態１（図２）に示した構成にさらに位相回転部５０１，５０２を備えて構成される。なお、図１６において図２と同一の構成部分には同一符号を付して説明を省略する。
【００６６】
図１６に示す基地局５００において、位相回転部５０１は、スクランブリング系列に含まれる固有系列および共通系列のうち、共通系列に対しセル毎、すなわち基地局毎に異なる基地局５００固有の位相回転を与える。共通系列をチップｓ１,ｓ２,ｓ３,…,ｓＭとし、基地局５００固有の位相回転量をθとすると、位相回転後の共通系列はｓ１・exp(jθ),ｓ２・exp(jθ),ｓ３・exp(jθ),…,ｓＭ・exp(jθ)となる。そして、位相回転を施された共通系列を含むスクランブリング系列がスクランブリング部１０５に入力される。
【００６７】
このように、共通系列に対しセル毎に異なる基地局５００固有の位相回転を与えることにより、セルＡにおけるマルチキャストサブフレーム用のパイロットとセルＢにおけるマルチキャストサブフレーム用のパイロットとを区別することができるようになる。よって、移動局では、マルチキャストサブフレーム用の受信パイロットからセルＡでのチャネル推定値ｈｉとセルＢでのチャネル推定値ｌｉとをそれぞれ算出することができ、これらのチャネル推定値ｈｉ,ｌｉのいずれかをさらに用いてユニキャストデータに対するチャネル推定を行うことができるようになる。これにより、ユニキャストデータのチャネル推定精度を高めることができる。
【００６８】
ここで、共通系列に対し位相回転を与えたことにより、移動局では、マルチキャストサブフレーム用のパイロットから算出されるチャネル推定値をそのままマルチキャストデータのチャネル推定に用いることができなくなる。そこで、位相回転部５０２は、共通系列に対する位相回転量と同一の位相回転量でマルチキャストデータシンボルに対して位相回
転を与える。このようにしてマルチキャストデータシンボルに対しても共通系列と同一の位相回転を与えることにより、マルチキャストサブフレーム用のパイロットの位相とマルチキャリアデータシンボルの位相との関係が一致するため、移動局では、マルチキャストサブフレーム用のパイロットから算出されるチャネル推定値を用いてマルチキャストデータのチャネル推定を行うことができるようになる。
【００６９】
よって、本実施の形態では、図４に示すサブフレーム＃３のｓ１,ｓ２およびマルチキャストデータはexp(jθa)を乗算されたものになり、図５に示すサブフレーム＃３のｓ１,ｓ２およびマルチキャストデータはexp(jθb)を乗算されたものになる。
【００７０】
なお、各基地局に固有の位相回転量は予め各基地局に設定されているか、または、各基地局の上位にある制御局から通知される。
【００７１】
また、本実施の形態に係る移動局では、パイロット選択部２０７の動作だけが実施の形態１と相違する。すなわち、本実施の形態では、パイロット選択部２０７は、ユニキャストデータに対するチャネル推定が行われる場合は、受信パイロット系列に含まれるすべてのパイロットを選択してチャネル推定部２０８に出力する。
【００７２】
また、上記説明では予め生成されたスクランブリング系列が基地局５００に予め設定されておりスクランブリング系列は変化しないものとして説明したが、基地局５００の上位にある制御局により固有系列（スクランブリングコード）が変えられることがある無線通信システムでは、基地局の構成を図１７に示すものにするとよい。図１７に示す基地局７００は、図１６に示す構成にさらに置き換え部３０１を追加したものである。この置き換え部３０１は実施の形態１（図８）におけるものと同一であるため、説明を省略する。
【００７３】
また、上記説明では基地局５００に固有の位相回転量が１つである場合、すなわち、セルＡの基地局５００に固有の位相回転量がθa、セルＢの基地局５００に固有の位相回転量がθbである場合について説明したが、１つの基地局が複数の位相回転量を使用してもよい。例えば、セルＡの基地局５００が位相回転量θa1,θa2を使用し、セルＢの基地局５００が位相回転量θb1,θb2を使用してもよい。この場合、例えば、図４において、サブフレーム＃３のｓ１およびサブキャリアｆ１〜ｆ３のマルチキャストデータにexp(jθa1)を乗算するとともに、サブフレーム＃３のｓ２およびサブキャリアｆ４〜ｆ６のマルチキャストデータにexp(jθa2)を乗算し、図５において、サブフレーム＃３のｓ１およびサブキャリアｆ１〜ｆ３のマルチキャストデータにexp(jθb1)を乗算するとともに、サブフレーム＃３のｓ２およびサブキャリアｆ４〜ｆ６のマルチキャストデータにexp(jθb2)を乗算するとよい。これにより、各セルにおいてマルチキャストサブフレーム用のパイロット間での干渉をランダム化することができる。
【００７４】
（実施の形態３）
本実施の形態では、互いに複数のセルからなる複数のセルグループ毎に、互いに異なるマルチキャストデータが送信される場合について説明する。本実施の形態では、例えば図１８に示すように、セルＡ〜Ｇでセルグループ１が構成され、セルＨ〜Ｎでセルグループ２が構成される場合において、セルグループ１のセルＡ〜Ｇではマルチキャストデータ１が送信されるのに対し、セルグループ２のセルＨ〜Ｎでは、マルチキャストデータ１と異なるマルチキャストデータ２が送信される場合を想定する。
【００７５】
この場合、マルチキャストサブフレーム用のパイロットがすべてのセルにおいて同じ位置に配置されると、セルグループ境界にあるセル（図１８では、セルＡ,Ｂ,Ｍ,Ｎ）においては、マルチキャストデータのチャネル推定精度が劣化すると予想される。例えば、セルグループ１のセルＡ,Ｂにおいてマルチキャストデータ１のチャネル推定精度が劣化し
、セルグループ２のセルＭ,Ｎにおいてマルチキャストデータ２のチャネル推定精度が劣化するものと予想される。これは、隣接するセルグループ内のすべてのセルにおいて同じ位置にマルチキャストサブフレーム用のパイロットが配置されると、セルグループ境界にあるセルではマルチキャストサブフレーム用のパイロットについて隣接グループ間での干渉が大きくなってしまうためである。例えば、セルＡ,Ｂにおけるマルチキャストサブフレーム用パイロットはセルグループ２のマルチキャストサブフレーム用パイロットから大きな干渉を受け、同様に、セルＭ,Ｎにおけるマルチキャストサブフレーム用パイロットはセルグループ１のマルチキャストサブフレーム用パイロットから大きな干渉を受けることになる。
【００７６】
そこで、本実施の形態では、セルＡでは図４に示すようにパイロット系列ａ１,ｓ１,ａ３,ａ４,ｓ２,ａ６が多重され、セルＢでは図５に示すようにパイロット系列ｂ１,ｓ１,ｂ３,ｂ４,ｓ２,ｂ６が多重される場合に、セルＭでは図１９に示すようにパイロット系列ｍ１,ｍ２,ｓ１,ｍ４,ｍ５,ｓ２を多重し、セルＮでは図２０に示すようにパイロット系列ｎ１,ｎ２,ｓ１,ｎ４,ｎ５,ｓ２を多重する。つまり、本実施の形態では、互いに隣接するセルグループ間においてマルチキャストサブフレーム用のパイロットの周波数軸上における位置を互いに異ならせる。これにより、マルチキャストサブフレーム用のパイロットについて隣接グループ間での干渉を低減することができるため、セルグループ境界にあるセルでのマルチキャストデータのチャネル推定精度の劣化を防止することができる。また、同様に、マルチキャストチャネルの回線品質の測定精度の劣化を防止することができる。
【００７７】
図２１に本実施の形態に係る基地局９００の構成を示す。本実施の形態に係る置き換え部３０１は、固有系列の一部を共通系列で置き換える際に、固有系列のうち共通系列で置き換えるチップの位置をセルグループ番号に従ってセルグループ毎に異ならせる点において図８に基地局３００の置き換え部３０１と相違する。
例えばセルＡの基地局９００の置き換え部３０１は、セルグループ番号１を入力されるので、パイロット系列ａ１,ａ２,ａ３,ａ４,ａ５,ａ６においてａ２をｓ１に置き換え、ａ５をｓ２に置き換える。同様に、セルＢの基地局９００の置き換え部３０１は、セルグループ番号１を入力されるので、パイロット系列ｂ１,ｂ２,ｂ３,ｂ４,ｂ５,ｂ６においてｂ２をｓ１に置き換え、ｂ５をｓ２に置き換える。
【００７８】
一方、セルＭの基地局９００の置き換え部３０１は、セルグループ番号２を入力されるので、パイロット系列ｍ１,ｍ２,ｍ３,ｍ４,ｍ５,ｍ６においてｍ３をｓ１に置き換え、ｍ６をｓ２に置き換える。同様に、セルＮの基地局９００の置き換え部３０１は、セルグループ番号２を入力されるので、パイロット系列ｎ１,ｎ２,ｎ３,ｎ４,ｎ５,ｎ６においてｎ３をｓ１に置き換え、ｎ６をｓ２に置き換える。
【００７９】
基地局９００がこのような構成を採ることにより、互いに隣接するセルグループ間においてマルチキャストサブフレーム用のパイロットの周波数軸上における位置を互いに異ならせることができる。
【００８０】
（実施の形態５）
上記実施の形態では基地局が備えるアンテナが１本である場合について説明したが、本実施の形態では、基地局が複数のアンテナを備え、１つのセルにおいて複数のアンテナからマルチキャストデータが送信される場合について説明する。
【００８１】
例えば、セルＡの基地局がアンテナ＃１，アンテナ＃２の２本にアンテナを備える場合に、本実施の形態では、アンテナ＃１から送信される各サブフレームの先頭には図２２に示すようなパイロット系列ａ１,null,ａ３,null,ｓ２,nullを多重し、アンテナ＃２から
送信される各サブフレームの先頭には図２３に示すようなパイロット系列null,ｓ１,null,ａ４,null,ａ６を多重する。そして、アンテナ＃１およびアンテナ＃２から同時に送信される２つのパイロット系列を受信する移動局では、これらのパイロット系列を合成することにより図４に示すパイロット系列を得ることができる。よって、基地局が複数のアンテナを備え、１つのセルにおいて複数のアンテナからマルチキャストデータが送信される場合でも、以上のようにしてパイロット系列の一部ずつを複数のアンテナにそれぞれ分担させて送信させることにより上記実施の形態と同様の作用・効果を得ることができる。
【００８２】
以上、本発明の実施の形態について説明した。
【００８３】
なお、上記実施の形態の説明で用いた「マルチキャスト」を「ブロードキャスト」と読み替えることにより、ユニキャストチャネルとブロードキャストチャネルとが時間の経過とともに随時切り替えて用いられる無線通信システムにおいて本発明を上記同様にして実施することができる。マルチキャスト通信がニュースグループ等そのサービスに加入している特定の移動局に対してのみ情報送信するような通信形態をとるのに対し、ブロードキャスト通信は現在のテレビ放送やラジオ放送のように全移動局に対して情報送信するような通信形態をとる。また、マルチキャストチャネルとブロードキャストチャネルとを合わせて、ＭＢＭＳ（Multimedia Broadcast/Multicast Service）チャネルと称することもある。
【００８４】
また、ＰＣＨ（Paging Channel），ＢＣＨ（Broadcast Channel）等、マルチキャストチャネル以外の、複数のセクタ間において互いに共通の他のチャネルについても、本発明を上記同様にして実施することができる。
【００８５】
また、上記実施の形態の説明で用いたユニキャストサブフレーム用のパイロットは、共通パイロットまたは個別パイロットのいずれであってもよい。
【００８６】
また、上記実施の形態の説明で用いたサブフレームはスロットまたはＴＴＩ（Transmission Time Interval）と称されることもある。また、ＣＰはガードインターバル（ＧＩ：Guard Interval）と称されることもある。また、サブキャリアはトーンと称されることもある。また、基地局はNode B、移動局はUEと表されることがある。また、パイロットは参照信号と称されることもある。また、マルチキャストチャネルはＳＦＮ（Single Frequency Network）チャネルと称されることもある。また、上記実施の形態の説明で用いたサブフレームは、例えばタイムスロットやフレーム等、他の送信時間単位であってもよい。
【００８７】
また、上記実施の形態では本発明をセル間において実施する場合について説明したが、上記同様にして本発明を１つのセルを複数に分割して生成される複数のセクタ間においても実施することもできる。
【００８８】
また、上記実施の形態では、マルチキャストチャネルとユニキャストチャネルとをサブフレーム毎に分離して時間多重する場合を示したが、マルチキャストチャネルとユニキャストチャネルとが同一サブフレーム内において周波数または時間によって分離される場合も上記同様にして本発明を実施することができる。この場合、マルチキャストチャネルが多重されるサブキャリアに対してのみ本発明を適用してもよい。
【００８９】
また、上記実施の形態では、本発明をハードウェアで構成する場合を例にとって説明したが、本発明はソフトウェアで実現することも可能である。
【００９０】
また、上記実施の形態の説明に用いた各機能ブロックは、典型的には集積回路であるＬＳＩとして実現される。これらは個別に１チップ化されてもよいし、一部または全てを含
むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９２】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００９３】
本明細書は、２００５年１０月７日出願の特願２００５−２９５４４６および２００６年１０月５日出願の特願２００６−２７３５８３に基づくものである。これらの内容はすべてここに含めておく。
【産業上の利用可能性】
【００９４】
本発明は、移動体通信システム等に適用することができる。
【図面の簡単な説明】
【００９５】
【図１】フレーム構成例（従来）
【図２】本発明の実施の形態１に係る基地局のブロック構成図
【図３】本発明の実施の形態１に係る移動局のブロック構成図
【図４】本発明の実施の形態１に係るパイロット系列多重例（セルＡ）
【図５】本発明の実施の形態１に係るパイロット系列多重例（セルＢ）
【図６】本発明の実施の形態１に係る受信パイロット系列
【図７】本発明の実施の形態１に係るチャネル推定値
【図８】本発明の実施の形態１に係る基地局のブロック構成図（バリエーション）
【図９】本発明の実施の形態１に係るスクランブリング系列生成例
【図１０】本発明の実施の形態１に係るパイロット系列多重例（バリエーション１）
【図１１】本発明の実施の形態１に係るパイロット系列多重例（バリエーション２）
【図１２】本発明の実施の形態１に係るパイロット系列多重例（バリエーション３）
【図１３】本発明の実施の形態１に係るパイロット系列多重例（バリエーション４）
【図１４】本発明の実施の形態１に係るパイロット系列多重例（バリエーション５）
【図１５】本発明の実施の形態１に係るパイロット系列多重例（バリエーション６）
【図１６】本発明の実施の形態２に係る基地局のブロック構成図
【図１７】本発明の実施の形態２に係る基地局のブロック構成図（バリエーション）
【図１８】本発明の実施の形態３に係るセルグループ構成図
【図１９】本発明の実施の形態３に係るパイロット系列多重例（セルＭ）
【図２０】本発明の実施の形態３に係るパイロット系列多重例（セルＮ）
【図２１】本発明の実施の形態３に係る基地局のブロック構成図
【図２２】本発明の実施の形態５に係るパイロット系列多重例（アンテナ＃１）
【図２３】本発明の実施の形態５に係るパイロット系列多重例（アンテナ＃２）
【手続補正３】
【補正対象書類名】図面
【補正対象項目名】全図
【補正方法】変更
【補正の内容】
【図１】
2007043477.tif 000028
【図２】
2007043477.tif 000029
【図３】
2007043477.tif 000030
【図４】
2007043477.tif 000031
【図５】
2007043477.tif 000032
【図６】
2007043477.tif 000033
【図７】
2007043477.tif 000034
【図８】
2007043477.tif 000035
【図９】
2007043477.tif 000036
【図１０】
2007043477.tif 000037
【図１１】
2007043477.tif 000038
【図１２】
2007043477.tif 000039
【図１３】
2007043477.tif 000040
【図１４】
2007043477.tif 000041
【図１５】
2007043477.tif 000042
【図１６】
2007043477.tif 000043
【図１７】
2007043477.tif 000044
【図１８】
2007043477.tif 000045
【図１９】
2007043477.tif 000046
【図２０】
2007043477.tif 000047
【図２１】
2007043477.tif 000048
【図２２】
2007043477.tif 000049
【図２３】
2007043477.tif 000050
【国際調査報告】
2007043477.tif 000051
2007043477.tif 000052
2007043477.tif 000053
2007043477.tif 000054